(57)【要約】  送信装置において、複製部は、第１物理層収束プロトコルデータユニット（ＰＰＤＵ）のうち、標準チャネル帯域幅で送信される第１のＰＰＤＵを、周波数軸方向に、（Ｎ−１）個（Ｎは２以上の整数）、複製する。ＧＩ挿入部は、前記標準チャネル帯域幅で送信される第１のＰＰＤＵ、前記複製された標準チャネル帯域幅で送信される第１のＰＰＤＵ、前記第１ＰＰＤＵのうち、前記標準チャネル帯域幅のＮ倍の可変チャネル帯域幅で送信される第１のＰＰＤＵ、及び、前記可変チャネル帯域幅で送信される第２のＰＰＤＵ、に対して、それぞれ、ガードインターバルを付加し、集約物理層収束プロトコルデータユニット（Ａ−ＰＰＤＵ）を出力する。ＲＦフロントエンドは、前記Ａ−ＰＰＤＵを送信する。
2018043368.tif 000002
【特許請求の範囲】
【請求項１】
レガシーＳＴＦと、レガシーＣＥＦと、レガシーヘッダフィールドと、非レガシーＳＴＦと非レガシーＣＥＦと、１つ以上の非レガシーヘッダを含む１つ以上の非レガシーヘッダフィールドと、１つ以上のペイロードデータを含む１つ以上のデータフィールドとを含む第１物理層収束プロトコルデータユニット（ＰＰＤＵ）のうち、標準チャネル帯域幅で送信される第１のＰＰＤＵである、前記レガシーＳＴＦ、前記レガシーＣＥＦ、前記レガシーヘッダフィールド、及び、先頭に配置された非レガシーヘッダフィールドを、周波数軸方向に、（Ｎ−１）個（Ｎは２以上の整数）、複製する複製部と、
前記標準チャネル帯域幅で送信される第１のＰＰＤＵ、
前記複製された標準チャネル帯域幅で送信される第１のＰＰＤＵ、
前記第１のＰＰＤＵのうち、前記標準チャネル帯域幅のＮ倍の可変チャネル帯域幅で送信される第１のＰＰＤＵである、前記非レガシーＳＴＦ、前記非レガシーＣＥＦ、前記１つ以上のデータフィールド、及び、
１つ以上の非レガシーヘッダフィールドと、１つ以上のデータフィールドとを含む第２のＰＰＤＵのうち、前記可変チャネル帯域幅で送信される、前記非レガシーヘッダフィールド、前記１つ以上のデータフィールド、
に対して、それぞれ、ガードインターバルを付加し、集約物理層収束プロトコルデータユニット（Ａ−ＰＰＤＵ）として出力するガードインターバル挿入部と、
前記Ａ−ＰＰＤＵを送信する無線部と、
を含む送信装置。
【請求項２】
前記無線部が、前記第１のＰＰＤＵ及び前記第２のＰＰＤＵをシングルキャリアによって送信する場合、前記第２のＰＰＤＵの前記１つ以上の非レガシーヘッダフィールドは、１つ以上のシングルキャリアブロックを含み、
前記複製部は、前記第２のＰＰＤＵの前記１つ以上の非レガシーヘッダフィールドにおいて、前記シングルキャリアブロック毎に、前記非レガシーヘッダを、（Ｎ−１）個、時間軸方向に複製する、
請求項１に記載の送信装置。
【請求項３】
前記可変チャネル帯域幅で送信される第１のＰＰＤＵの前記１つ以上の非レガシーヘッダフィールドは、１つ以上のシングルキャリアブロックを含み、
前記ガードインターバル挿入部は、更に、
前記可変チャネル帯域幅で送信される第１のＰＰＤＵの前記１つ以上の非レガシーヘッダフィールドの前記シングルキャリアブロック毎に、ＮＮＬＨシンボル（ＮＮＬＨは１以上の整数）の前記非レガシーヘッダに対して、ＮＧＩシンボル（ＮＧＩは１以上の整数）の前記ガードインターバルを付加し
前記第２のＰＰＤＵの非レガシーヘッダフィールドの前記シングルキャリアブロック毎に、ＮＮＬＨ−Ｍシンボル（Ｍは０以上の整数）の前記非レガシーヘッダに対して（ＮＧＩ＋Ｍ）×Ｎシンボルのガードインターバルを付加し、ＮＮＬＨ＋Ｍシンボルの前記非レガシーヘッダに対して（ＮＧＩ−Ｍ）×Ｎシンボルのガードインターバルを付加する、
請求項２に記載の送信装置。
【請求項４】
前記無線部は、前記第２のＰＰＤＵをマルチキャリアによって送信する場合、
前記標準チャネル帯域幅で送信される第１のＰＰＤＵの前記１つ以上の非レガシーヘッダフィールドを、シングルキャリアによって送信し、
前記可変チャネル帯域幅で送信される第１のＰＰＤＵの前記１つ以上のデータフィールドを、マルチキャリアによって送信する、
請求項１に記載の送信装置。
【請求項５】
前記複製部は、
前記第２のＰＰＤＵの前記１つ以上の非レガシーヘッダフィールドのそれぞれにおいて、
ＮＳＮＬＨシンボルの前記非レガシーヘッダをＮ−１個複製し、
前記無線部は、
Ｎ×ＮＳＮＬＨ本のデータサブキャリアにマッピングされた前記非レガシーヘッダ及び前記Ｎ−１個の複製した非レガシーヘッダを送信する、
請求項４に記載の送信装置。
【請求項６】
レガシーＳＴＦと、レガシーＣＥＦと、レガシーヘッダフィールドと、非レガシーＳＴＦと非レガシーＣＥＦと、１つ以上の非レガシーヘッダを含む１つ以上の非レガシーヘッダフィールドと、１つ以上のペイロードデータを含む１つ以上のデータフィールドとを含む第１物理層収束プロトコルデータユニット（ＰＰＤＵ）のうち、標準チャネル帯域幅で送信される第１のＰＰＤＵである、前記レガシーＳＴＦ、前記レガシーＣＥＦ、前記レガシーヘッダフィールド、及び、先頭に配置された非レガシーヘッダフィールドを、周波数軸方向に、（Ｎ−１）個（Ｎは２以上の整数）、複製し、
標準チャネル帯域幅で送信される第１のＰＰＤＵ、
前記複製された標準チャネル帯域幅で送信される第１のＰＰＤＵ、
前記第１のＰＰＤＵのうち、前記標準チャネル帯域幅のＮ倍の可変チャネル帯域幅で送信される第１のＰＰＤＵである、前記非レガシーＳＴＦ、前記非レガシーＣＥＦ、前記１つ以上のデータフィールド、及び、
１つ以上の非レガシーヘッダフィールドと、１つ以上のデータフィールドとを含む第２のＰＰＤＵのうち、前記可変チャネル帯域幅で送信される、前記非レガシーヘッダフィールド、前記１つ以上のデータフィールド、に対して、それぞれ、ガードインターバルを付加し、集約物理層収束プロトコルデータユニット（Ａ−ＰＰＤＵ）として出力し、
前記Ａ−ＰＰＤＵを送信する、
送信方法。
【請求項７】
前記第１のＰＰＤＵ及び前記第２のＰＰＤＵをシングルキャリアによって送信する場合、
前記第２のＰＰＤＵの前記１つ以上の非レガシーヘッダフィールドは、１つ以上のシングルキャリアブロックを含み、
更に、前記第２のＰＰＤＵの前記１つ以上の非レガシーヘッダフィールドにおいて前記シングルキャリアブロック毎に、前記非レガシーヘッダを、（Ｎ−１）個、時間軸方向に複製する、
請求項６に記載の送信方法。
【請求項８】
前記可変チャネル帯域幅で送信される第１のＰＰＤＵの前記１つ以上の非レガシーヘッダフィールドは、１つ以上のシングルキャリアブロックを含み、
更に、
前記可変チャネル帯域幅で送信される第１のＰＰＤＵの前記１つ以上の非レガシーヘッダフィールドの前記シングルキャリアブロック毎に、ＮＮＬＨシンボル（ＮＮＬＨは１以上の整数）の前記非レガシーヘッダに対して、ＮＧＩシンボル（ＮＧＩは１以上の整数）の前記ガードインターバルを付加し、
前記第２のＰＰＤＵの非レガシーヘッダフィールドの前記シングルキャリアブロック毎に、ＮＮＬＨ−Ｍシンボル（Ｍは０以上の整数）の前記非レガシーヘッダに対して（ＮＧＩ＋Ｍ）×Ｎシンボルのガードインターバルを付加し、ＮＮＬＨ＋Ｍシンボルの前記非レガシーヘッダに対して（ＮＧＩ−Ｍ）×Ｎシンボルのガードインターバルを付加する、
請求項７に記載の送信方法。
【請求項９】
前記第２のＰＰＤＵをマルチキャリアによって送信する場合、
前記標準チャネル帯域幅で送信される第１のＰＰＤＵの前記１つ以上の非レガシーヘッダフィールドを、シングルキャリアによって送信し、
前記可変チャネル帯域幅で送信される第１のＰＰＤＵの前記１つ以上のデータフィールドを、マルチキャリアによって送信する、
請求項６に記載の送信方法。
【請求項１０】
前記第２のＰＰＤＵの前記１つ以上の非レガシーヘッダフィールドのそれぞれにおいて、
ＮＳＮＬＨシンボルの前記非レガシーヘッダをＮ−１個複製し、
Ｎ×ＮＳＮＬＨ本のデータサブキャリアにマッピングされた前記非レガシーヘッダ及び前記Ｎ−１個の複製した非レガシーヘッダを送信する、
請求項９に記載の送信方法。
【発明の詳細な説明】
【技術分野】
【０００１】
本開示は、無線通信に関連し、さらに具体的には、無線通信システムにおける集約物理層収束プロトコルデータユニット（ＰＰＤＵ：ＰＬＣＰ  Ｐｒｏｔｏｃｏｌ  Ｄａｔａ  Ｕｎｉｔ）を構成し、送信する装置および方法に関する。
【背景技術】
【０００２】
免許不要の６０ＧＨｚ帯を使用するミリ波ネットワークへの関心が深まっている。ワイヤレスＨＤ（Ｈｉ−Ｄｅｆｉｎｉｔｉｏｎ（高精細度））技術は、業界初の６０ＧＨｚ帯を使用する無線通信規格であり、コンシューマ電子機器、パーソナルコンピュータ、および携帯機器の間において、高精細度のオーディオ、ビデオ、およびデータのすくなくとも１つを、数ギガビット毎秒による無線ストリーミング伝送の実施が可能である。【０００３】
６０ＧＨｚ帯で動作する別の無線通信技術にＷｉＧｉｇ技術があり、これは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（米国電気電子技術者協会））によってＩＥＥＥ８０２．１１ａｄ規格として標準化されている。【０００４】
ＷｉＧｉｇ技術は、２．１６ＧＨｚの標準チャネル帯域幅を使用することで、最大６．７Ｇｂｐｓまでの物理層データ伝送速度を実施することができる。ＷｉＧｉｇ技術は、ＳＣ（Ｓｉｎｇｌｅ  Ｃａｒｒｉｅｒ（シングルキャリア））変調およびＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重））変調の両方をサポートする。また、伝送効率を向上するために、ＷｉＧｉｇ技術は、Ａｇｇｒｅｇａｔｅ−ＰＰＤＵ（集約物理層収束プロトコルデータユニット、以下「Ａ−ＰＰＤＵ」と表記する）をサポートする（非特許文献１参照）。【０００５】
Ａ−ＰＰＤＵとは、２つ以上のＰＰＤＵ間にＩＦＳ（Ｉｎｔｅｒ−ｆｒａｍｅ  Ｓｐａｃｉｎｇ（フレーム間隔時間））やプリアンブルを設けずに伝送する技術である。【０００６】
ＷｉＧｉｇ技術は、有線デジタルインターフェースのケーブルの代替として用いることができる。例えば、ＷｉＧｉｇ技術は、スマートフォン、タブレットまたはワイヤレスＨＤＭＩ（登録商標、以下同様）（Ｈｉｇｈ  Ｄｅｆｉｎｉｔｉｏｎ  Ｍｕｌｔｉｍｅｄｉａ  Ｉｎｔｅｒｆａｃｅ（高精細度マルチメディアインターフェース））リンクでのビデオストリーミング伝送における瞬時同期のためのワイヤレスＵＳＢ（Ｕｎｉｖｅｒｓａｌ  Ｓｅｒｉａｌ  Ｂｕｓ（ユニバーサルシリアルバス））リンクを実装するために用いることができる。【０００７】
最新の有線デジタルインターフェース（例えば、ＵＳＢ３．５およびＨＤＭＩ１．３）は、最大数十Ｇｂｐｓのデータ伝送速度が可能であり、従って、ＷｉＧｉｇ技術もこれらに匹敵するよう進化している。ＮＧ６０（Ｎｅｘｔ  Ｇｅｎｅｒａｔｉｏｎ  ６０ＧＨｚ（次世代６０ＧＨｚ））ＷｉＧｉｇ技術は、数十Ｇｂｐｓの物理層データ伝送速度を達成するために、既存のＷｉＧｉｇ（レガシーＷｉＧｉｇ）技術との下位互換性を維持し、標準チャネル帯域幅以上の可変チャネル帯域幅によるデータ伝送をサポートする技術が望まれる。
【先行技術文献】
【非特許文献】
【０００８】
【非特許文献１】ＩＥＥＥ  ８０２．１１ａｄ−２０１２  Ｐ２３７  ９．１３ａ  ＤＭＧ  Ａ−ＰＰＤＵ  ｏｐｅｒａｔｉｏｎ
【発明の概要】
【０００９】
ＮＧ６０ＷｉＧｉｇ（非レガシーＷｉＧｉｇ）デバイスは、レガシーＷｉＧｉｇデバイスとの下位互換性を保つために、ＩＥＥＥ８０２．１１ａｄに定義された標準チャネル帯域幅を使うＬＦ（Ｌｅｇａｃｙ  Ｆｏｒｍａｔ（レガシーフォーマット））ＰＰＤＵと、可変チャネル帯域幅を使うＭＦ（Ｍｉｘｅｄ  Ｆｏｒｍａｔ（複合フォーマット））ＰＰＤＵとの両方のサポートが要求されている。
【００１０】
このため、ＮＧ６０ＷｉＧｉｇ（非レガシーＷｉＧｉｇ）デバイスは、伝送効率を最大化できるＡ−ＰＰＤＵのフォーマットおよび送信方法を定義することが求められている。
【００１１】
本開示の非限定的な実施例は、伝送効率が向上することができる非レガシーＡ−ＰＰＤＵの送信装置の提供に資する。
【００１２】
本開示の一態様は、レガシーＳＴＦと、レガシーＣＥＦと、レガシーヘッダフィールドと、非レガシーＳＴＦと非レガシーＣＥＦと、１つ以上の非レガシーヘッダを含む１つ以上の非レガシーヘッダフィールドと、１つ以上のペイロードデータを含む１つ以上のデータフィールドとを含む第１物理層収束プロトコルデータユニット（ＰＰＤＵ）のうち、標準チャネル帯域幅で送信される第１のＰＰＤＵである、前記レガシーＳＴＦ、前記レガシーＣＥＦ、前記レガシーヘッダフィールド、及び、先頭に配置された非レガシーヘッダフィールドを、周波数軸方向に、（Ｎ−１）個（Ｎは２以上の整数）、複製する複製部と、前記標準チャネル帯域幅で送信される第１のＰＰＤＵ、前記複製された標準チャネル帯域幅で送信される第１のＰＰＤＵ、前記第１のＰＰＤＵのうち、前記標準チャネル帯域幅のＮ倍の可変チャネル帯域幅で送信される第１のＰＰＤＵである、前記非レガシーＳＴＦ、前記非レガシーＣＥＦ、前記１つ以上のデータフィールド、及び、１つ以上の非レガシーヘッダフィールドと、１つ以上のデータフィールドとを含む第２のＰＰＤＵのうち、前記可変チャネル帯域幅で送信される、前記非レガシーヘッダフィールド、前記１つ以上のデータフィールド、に対して、それぞれ、ガードインターバルを付加し、集約物理層収束プロトコルデータユニット（Ａ−ＰＰＤＵ）として出力するガードインターバル挿入部と、前記Ａ−ＰＰＤＵを送信する無線部と、を含む送信装置である。
【００１３】
本明細書で開示される技術は、レガシーＳＴＦ（Ｓｈｏｒｔ  Ｔｒａｉｎｉｎｇ  Ｆｉｅｌｄ（ショートトレーニングフィールド））と、レガシーＣＥＦ（Ｃｈａｎｎｅｌ  Ｅｓｔｉｍａｔｉｏｎ  Ｆｉｅｌｄ（チャネル推定フィールド））と、レガシーヘッダフィールドと、非レガシーＳＴＦと、非レガシーＣＥＦと、複数の非レガシーヘッダフィールドと、複数のデータフィールドから成る非レガシーＡ−ＰＰＤＵを生成し送信する送信装置であって、前記レガシーＳＴＦ、前記レガシーＣＥＦ、前記レガシーヘッダフィールド、および前記非レガシーＡ−ＰＰＤＵの先頭に配置されたＰＰＤＵの非レガシーヘッダフィールドは、標準チャネル帯域幅を使って送信され、一方、前記非レガシーＳＴＦ、前記非レガシーＣＥＦ、前記非レガシーＡ−ＰＰＤＵの２番目以降に配置されたＰＰＤＵの非レガシーヘッダフィールド、および前記複数のデータフィールドは、前記可変チャネル帯域幅を使って送信される。また、ＳＣモードにおいて、前記非レガシーＡ−ＰＰＤＵの全てのフィールドは、ＳＣ変調で送信され、一方、ＯＦＤＭモードにおいて、前記レガシーＳＴＦ、前記レガシーＣＥＦ、前記レガシーヘッダフィールド、前記非レガシーＳＴＦ、および前記先頭に配置されたＰＰＤＵの非レガシーヘッダフィールドは、ＳＣ変調で送信され、前記非レガシーＣＥＦ、前記２番目以降に配置されたＰＰＤＵの非レガシーヘッダフィールド、および前記複数のデータフィールドは、ＯＦＤＭ変調で送信される送信装置である。
【００１４】
なお、一般的な、または特定の諸実施形態は、システム、方法、集積回路、コンピュータプログラム、ストレージ媒体、またはこれらの任意の選択的な組み合わせとして実装することが可能である。
【００１５】
本開示の非レガシーＡ−ＰＰＤＵの送信装置および送信方法を用いることによって、伝送効率が向上することができる。
【００１６】
本開示の実施形態の更なる利点および効果は、本明細書および図面から明らかになろう。これらの利点および／または効果は、本明細書および図面の様々な実施形態および特徴によって個々に把握することができ、かかる利点および／または効果の一つ以上を把握するために、これらの全てを提示する必要はない。
【図面の簡単な説明】
【００１７】
【図１】従来技術によるＬＦ  ＳＣ  ＰＰＤＵフォーマットの一例を示す図
【図２】従来技術によるＬＦ  ＳＣ  ＰＰＤＵのレガシーヘッダの構造の一例を示す図
【図３】従来技術によるＬＦ  ＳＣ  ＰＰＤＵの送信装置の構成の一例を示す図
【図４】従来技術によるＬＦ  ＳＣ  Ａ−ＰＰＤＵフォーマットの一例を示す図
【図５】従来技術によるＬＦ  ＯＦＤＭ  ＰＰＤＵフォーマットの一例を示す図
【図６】従来技術によるＬＦ  ＯＦＤＭ  ＰＰＤＵのレガシーヘッダの構造の一例を示す図
【図７】従来技術によるＬＦ  ＯＦＤＭ  ＰＰＤＵの送信装置の構成の一例を示す図
【図８】従来技術によるＬＦ  ＯＦＤＭ  Ａ−ＰＰＤＵフォーマットの一例を示す図
【図９】本開示における標準チャネル帯域幅で送信されるＭＦ  ＳＣ  ＰＰＤＵフォーマットの一例を示す図
【図１０】本開示における非レガシーヘッダの構造の一例を示す図
【図１１】本開示における標準チャネル帯域幅の２倍の可変チャネル帯域幅で送信されるＭＦ  ＳＣ  ＰＰＤＵフォーマットの一例を示す図
【図１２】本開示におけるＭＦ  ＳＣ  ＰＰＤＵのデータフィールドにおけるＳＣブロックの詳細構成の一例を示す図
【図１３】本開示における標準チャネル帯域幅で送信されるＭＦ  ＳＣ  Ａ−ＰＰＤＵフォーマットの一例を示す図
【図１４】本開示における標準チャネル帯域幅の２倍の可変チャネル帯域幅で送信されるＭＦ  ＳＣ  Ａ−ＰＰＤＵフォーマットの一例を示す図
【図１５】本開示における標準チャネル帯域幅で送信されるＭＦ  ＯＦＤＭ  ＰＰＤＵフォーマットの一例を示す図
【図１６】本開示における標準チャネル帯域幅の２倍の可変チャネル帯域幅で送信されるＭＦ  ＯＦＤＭ  ＰＰＤＵフォーマットの一例を示す図
【図１７】本開示におけるＭＦ  ＯＦＤＭ  ＰＰＤＵのデータフィールドに対するサブキャリアマッピングの一例を示す図
【図１８】本開示における標準チャネル帯域幅で送信されるＭＦ  ＯＦＤＭ  Ａ−ＰＰＤＵフォーマットの一例を示す図
【図１９】本開示における標準チャネル帯域幅の２倍の可変チャネル帯域幅で送信されるＭＦ  ＯＦＤＭ  Ａ−ＰＰＤＵフォーマットの一例を示す図
【図２０】本開示の実施の形態１における標準チャネル帯域幅の２倍の可変チャネル帯域幅で送信されるＭＦ  ＳＣ  Ａ−ＰＰＤＵフォーマットの一例を示す図
【図２１】本開示の実施の形態１におけるＭＦ  ＳＣ  Ａ−ＰＰＤＵの非レガシーヘッダフィールドにおけるＳＣブロックの詳細構成の一例を示す図
【図２２】本開示の実施の形態１におけるＭＦ  ＳＣ  Ａ−ＰＰＤＵの送信装置の構成の一例を示す図
【図２３】本開示の実施の形態１における複製部の構成の一例を示す図
【図２４】本開示の実施の形態２における標準チャネル帯域幅で送信されるＭＦ  ＯＦＤＭ  Ａ−ＰＰＤＵフォーマットの一例を示す図
【図２５】本開示の実施の形態２における標準チャネル帯域幅の２倍の可変チャネル帯域幅で送信されるＭＦ  ＯＦＤＭ  Ａ−ＰＰＤＵフォーマットの一例を示す図
【図２６】本開示の実施の形態２におけるＭＦ  ＯＦＤＭ  Ａ−ＰＰＤＵの非レガシーヘッダフィールドのサブキャリアマッピングの一例を示す図
【図２７】本開示の実施の形態２におけるＭＦ  ＯＦＤＭ  Ａ−ＰＰＤＵの送信装置の構成の一例を示す図
【図２８】本開示の実施の形態３におけるＧＩ期間を変更した場合のＭＦ  ＳＣ  Ａ−ＰＰＤＵの非レガシーヘッダフィールドにおけるＳＣブロックの生成方法の一例を示す図
【発明を実施するための形態】
【００１８】
以下に、添付の図面を参照しながら、本開示の様々な実施形態を詳しく説明することとする。以下の説明において、明瞭さと簡潔さのため、本明細書に組み込まれた周知の機能および構成の詳細な説明は省略されている。
【００１９】
図１は、従来技術によるＬＦ  ＳＣ  ＰＰＤＵ１００のフォーマットの一例を示す図である。ＬＦ  ＳＣ  ＰＰＤＵ１００は、レガシーＳＴＦ１０１と、レガシーＣＥＦ１０２と、レガシーヘッダフィールド１０３とデータフィールド１０４と、任意のＡＧＣサブフィールド１０５と、任意のＴＲＮ−Ｒ／Ｔサブフィールド１０６とを含む。
【００２０】
レガシーＳＴＦ１０１は、パケット検出、ＡＧＣ（Ａｕｔｏｍａｔｉｃ  Ｇａｉｎ  Ｃｏｎｔｒｏｌ（自動利得制御））、周波数オフセット推定および同期に用いられる。レガシーＣＥＦ１０２は、チャネル推定に用いられる。レガシーヘッダフィールド１０３は、ＬＦ  ＳＣ  ＰＰＤＵ１００の詳細を定義するレガシーヘッダ１０９を含んでいる。図２は、各レガシーヘッダ１０９に含まれる複数のフィールドを示す。
【００２１】
データフィールド１０４は、ＬＦ  ＳＣ  ＰＰＤＵ１００のペイロードデータ１１０を含む。ペイロードデータ１１０には、オーディオ、ビデオ、およびデータのすくなくとも１つが含まれる。データフィールド１０４のデータオクテット数は、各レガシーヘッダ１０９のＬｅｎｇｔｈフィールドによって指定され、データフィールド１０４で使われる変調方式および符号化率は、レガシーヘッダ１０９のＭＣＳ（Ｍｏｄｕｌａｔｉｏｎ  ａｎｄ  Ｃｏｄｉｎｇ  Ｓｃｈｅｍｅ（変調および符号化スキーム））フィールドによって指定される。
【００２２】
ＡＧＣサブフィールド１０５とＴＲＮ−Ｒ／Ｔサブフィールド１０６は、ＬＦ  ＳＣ  ＰＰＤＵ１００をビームの微調整又は追跡制御に使用するときに存在する。ＡＧＣサブフィールド１０５とＴＲＮ−Ｒ／Ｔサブフィールド１０６との長さは、レガシーヘッダ１０９のＴｒａｉｎｉｎｇ  Ｌｅｎｇｔｈフィールドによって指定される。
【００２３】
ＴＲＮ−Ｒ／Ｔサブフィールド１０６がＴＲＮ−Ｒサブフィールドとして使用されるかＴＲＮ−Ｔサブフィールドとして使用されるか否かは、レガシーヘッダ１０９のPacket Typeフィールドによって指定される。
【００２４】
図１に示すように、ＬＦ  ＳＣ  ＰＰＤＵ１００の全てのフィールドは、２．１６ＧＨｚの標準チャネル帯域幅を使ってＳＣ変調で送信される。
【００２５】
図３は、従来技術によるＬＦ  ＳＣ  ＰＰＤＵの送信装置３００の構成の一例を示す図である。送信装置３００は、ベースバンド信号処理部３０１と、ＤＡＣ（Ｄｉｇｉｔａｌ  ｔｏ  Ａｎａｌｏｇ  Ｃｏｎｖｅｒｔｅｒ（デジタル−アナログ変換器））３０２と、ＲＦ（Ｒａｄｉｏ  Ｆｒｅｑｕｅｎｃｙ（無線周波数））フロントエンド３０３、およびアンテナ３０４を備え、更にベースバンド信号処理部３０１は、スクランブラ３０５と、ＬＤＰＣ（Ｌｏｗ  Ｄｅｎｓｉｔｙ  Ｐａｒｉｔｙ  Ｃｈｅｃｋ（低密度パリティチェック））符号器３０６と、変調器３０７と、シンボルブロッキング部３０８と、ＧＩ（Ｇｕａｒｄ  Ｉｎｔｅｒｖａｌ（ガード間隔））挿入部３０９を備える。
【００２６】
スクランブラ３０５は、レガシーヘッダフィールド１０３とデータフィールド１０４のビットをスクランブルする。スクランブラ３０５は、レガシーヘッダ１０９のＳｃｒａｍｂｌｅｒ  Ｉｎｉｔｉａｌｉｚａｔｉｏｎフィールドに従って初期化され、レガシーヘッダ１０９のＭＣＳフィールドからスクランブルを開始する。
【００２７】
ＬＤＰＣ符号器３０６は、レガシーヘッダフィールド１０３に対して、３／４の符号化率でＬＤＰＣ符号化し、ＬＤＰＣコードワードを生成する。変調器３０７は、ＬＤＰＣコードワードをπ／２−ＢＰＳＫ（Ｂｉｎａｒｙ  Ｐｈａｓｅ  Ｓｈｉｆｔ  Ｋｅｙｉｎｇ（２位相偏移変調））を用いて４４８個の複素コンスタレーションポイントに変換する。シンボルブロッキング部３０８は、複素コンスタレーションポイントを４４８個単位でブロック化し、シンボルブロックを生成する。ＧＩ挿入部３０９は、事前に定義された長さ64シンボルのＧｏｌａｙ系列から成るＧＩ１０８をシンボルブロックの先頭に付加し、ＳＣブロックを生成する。
【００２８】
ＬＤＰＣ符号器３０６は、データフィールド１０４に対して、レガシーヘッダのＭＣＳフィールドで指定された符号化率でペイロードデータ１１０をＬＤＰＣ符号化し、ＬＤＰＣコードワードを生成する。変調器３０７は、ＬＤＰＣコードワードをレガシーヘッダのＭＣＳフィールドで指定された変調方式を用いて複数の複素コンスタレーションポイントに変換する。
【００２９】
シンボルブロッキング部３０８は、複素コンスタレーションポイントを４４８個単位でブロック化し、シンボルブロックを生成する。
【００３０】
ＧＩ挿入部３０９は、レガシーヘッダフィールド１０３と同一のＧＩ１０８を各シンボルブロックの先頭に付加し、ＳＣブロック１０７を生成する。更にＧＩ挿入部３０９は、周波数領域等化を容易にするために、データフィールド１０４の最終ＳＣブロック１０７の後尾にＧＩ１０８ａを付加する。つまり、レガシーヘッダのＡｄｄｉｔｉｏｎａｌ  ＰＰＤＵフィールドが１でない場合、ＧＩ１０８ａを付加する。
【００３１】
ＤＡＣ３０２は、ベースバンド信号処理部３０１で生成されたＬＦ  ＳＣ  ＰＰＤＵ１００を含むデジタルベースバンド信号をアナログベースバンド信号へ変換する。
【００３２】
ＲＦフロントエンド３０３は、周波数変換、増幅等の処理によりＬＦ  ＳＣ  ＰＰＤＵ１００を含むアナログベースバンド信号を無線周波数信号に変換する。アンテナ３０４は、無線周波数信号を空間に放射する。
【００３３】
図４は、従来技術によるＬＦ  ＳＣ  Ａ−ＰＰＤＵ４００のフォーマットの一例を示す図である。ＬＦ  ＳＣ  Ａ−ＰＰＤＵ４００は、３つのＬＦ  ＳＣ  ＰＰＤＵ４０１、４０２、４０３で構成されている。各ＬＦ  ＳＣ  ＰＰＤＵは、間にＩＦＳやプリアンブルを設けずに連結され、レガシーヘッダフィールド４０６、４０８、４１０およびデータフィールド４０７、４０９、４１１を含む。
【００３４】
例えば、ＬＦ  ＳＣ  Ａ−ＰＰＤＵ４００の先頭に配置されたＬＦ  ＳＣ  ＰＰＤＵ４０１は、レガシーヘッダフィールド４０６、データフィールド４０７、レガシーＳＴＦ４０４、レガシーＣＥＦ４０５を含む。ＬＦ  ＳＣ  Ａ−ＰＰＤＵ４００の最後尾に配置されたＬＦ  ＳＣ  ＰＰＤＵ４０３は、レガシーヘッダフィールド４１０、データフィールド４１１、任意のＡＧＣサブフィールド４１２と任意のＴＲＮ−Ｒ／Ｔサブフィールド４１３を含む。
【００３５】
レガシーＳＴＦ４０４、レガシーＣＥＦ４０５、レガシーヘッダフィールド４０６、４０８、４１０、ＡＧＣサブフィールド４１２、およびＴＲＮ−Ｔ／Ｒサブフィールド４１３の定義は、図１のＬＦ  ＳＣ  ＰＰＤＵ１００の対応するフィールドの定義と同じであるため、説明を省略する。
【００３６】
ＬＦ  ＳＣ  ＰＰＤＵ４０３を除き、例えば、ＬＦ  ＳＣ  ＰＰＤＵ４０１は、別のＬＦ  ＳＣ  ＰＰＤＵ４０２によって後続されるので、ＬＦ  ＳＣ  ＰＰＤＵ４０３のレガシーヘッダフィールド４１０のＡｄｄｉｔｉｏｎａｌ  ＰＰＤＵフィールドは０に設定され、その他のＬＦ  ＳＣ  ＰＰＤＵ４０１、４０２のレガシーヘッダフィールド４０６、４０８のＡｄｄｉｔｉｏｎａｌ  ＰＰＤＵフィールドは１に設定される。
【００３７】
例えば、ＬＦ  ＳＣ  ＰＰＤＵ４０３のデータフィールド４１１を除き、データフィールド４０７の最終ＳＣブロック４１４は、別のＬＦ  ＳＣ  ＰＰＤＵ４０２のレガシーヘッダフィールド４０８の先頭のＳＣブロック４１５が後続するので、ＧＩ４１７ａの付加は省略されるが、ＬＦ  ＳＣ  ＰＰＤＵ４０３のデータフィールド４１１の最終ＳＣブロック４１６の後尾は、後続するＳＣブロックが無いため、ＧＩ４１７ａが付加される。つまり、レガシーヘッダのＡｄｄｉｔｉｏｎａｌ  ＰＰＤＵフィールドが１の場合は、ＧＩ４１７ａの付加を省略する。
【００３８】
なお、ＬＦ  ＳＣ  Ａ−ＰＰＤＵ４００の全てのフィールドは、２．１６ＧＨｚの標準チャネル帯域幅を使ってＳＣ変調で送信される。
【００３９】
図５は、従来技術によるＬＦ  ＯＦＤＭ  ＰＰＤＵ５００フォーマットの一例を示す図である。ＬＦ  ＯＦＤＭ  ＰＰＤＵ５００は、レガシーＳＴＦ５０１と、レガシーＣＥＦ５０２と、レガシーヘッダフィールド５０３と、データフィールド５０４と、任意のＡＧＣサブフィールド５０５と、任意のＴＲＮ−Ｒ／Ｔサブフィールド５０６とを含む。
【００４０】
レガシーＳＴＦ５０１、レガシーＣＥＦ５０２、ＡＧＣサブフィールド５０５、およびＴＲＮ−Ｒ／Ｔサブフィールド５０６の定義は、図１のＬＦ  ＳＣ  ＰＰＤＵ１００の対応するフィールドの定義と同じであるため、説明を省略する。
【００４１】
レガシーヘッダフィールド５０３は、ＬＦ  ＯＦＤＭ  ＰＰＤＵ５００の詳細を定義するレガシーヘッダ５１０を含む。図６に、レガシーヘッダ５１０に含まれる複数のフィールドを示す。データフィールド５０４は、ＬＦ  ＯＦＤＭ  ＰＰＤＵ５００のペイロードデータ５１１を含む。
【００４２】
なお、ＬＦ  ＯＦＤＭ  ＰＰＤＵ５００の全てのフィールドは、２．１６ＧＨｚの標準チャネル帯域幅を使って送信される。
【００４３】
また、レガシーＳＴＦ５０１、レガシーＣＥＦ５０２、ＡＧＣサブフィールド５０５、ＴＲＮ−Ｒ／Ｔサブフィールド５０６は、ＳＣ変調で送信され、レガシーヘッダフィールド５０３とデータフィールド５０４は、ＯＦＤＭ変調で送信される。
【００４４】
ＯＦＤＭ変調で送信されるレガシーヘッダフィールド５０３、データフィールド５０４は、ＳＣ変調で送信されるレガシーＳＴＦ５０１、レガシーＣＥＦ５０２、ＡＧＣサブフィールド５０５、およびＴＲＮ−Ｒ／Ｔサブフィールドよりも速いサンプリングレートで送信される。従って、レガシーＣＥＦ５０２とレガシーヘッダフィールド５０３の境界、およびデータフィールド５０４とＡＧＣサブフィールド５０５の境界ではサンプリングレート変換処理が必要となる。
【００４５】
図７は、従来技術によるＬＦ  ＯＦＤＭ  ＰＰＤＵの送信装置７００の構成の一例を示す図である。送信装置７００は、ベースバンド信号処理部７０１と、ＤＡＣ７０２と、ＲＦフロントエンド７０３、およびアンテナ７０４を備え、更にベースバンド信号処理部７０１は、スクランブラ７０５と、ＬＤＰＣ符号器７０６と、変調器７０７と、サブキャリアマッピング部７０８と、ＩＦＦＴ部７０９と、ＧＩ挿入部７１０とを備える。
【００４６】
スクランブラ７０５は、レガシーヘッダフィールド５０３とデータフィールド５０４のビットをスクランブルする。スクランブラ７０５は、レガシーヘッダのＳｃｒａｍｂｌｅｒ  Ｉｎｉｔｉａｌｉｚａｔｉｏｎフィールドに従って初期化され、レガシーヘッダのＭＣＳフィールドからスクランブルを開始する。
【００４７】
ＬＤＰＣ符号化器７０６は、レガシーヘッダ５１０を、３／４の符号化率でＬＤＰＣ符号化し、ＬＤＰＣコードワードを生成する。変調器７０７は、ＬＤＰＣコードワードをＱＳＰＫ（Ｑｕａｄｒａｔｕｒｅ  Ｐｈａｓｅ  Ｓｈｉｆｔ  Ｋｅｙｉｎｇ（４位相偏移変調））を用いて３３６個の複素コンスタレーションポイントに変換する。サブキャリアマッピング部７０８は、事前定義された規則に従って３３６個の複素コンスタレーションポイントを３３６本のデータサブキャリアにマッピングする。
【００４８】
サブキャリアは全部で５１２本あり、残りの１７６本のサブキャリアは、ＤＣサブキャリア、パイロットサブキャリア、ガードバンドとして使用される。ＩＦＦＴ部７０９は、周波数領域でサブキャリアマッピングされたレガシーヘッダ５１０を５１２ポイントＩＦＦＴ処理により時間領域信号へと変換する。ＧＩ挿入部７１０は、ＩＦＦＴ部７０９の出力信号の後端の１２８サンプルをコピーしてＧＩ５０７としてＩＦＦＴ出力信号の先端につなぎ合わせて、ＯＦＤＭシンボルを生成する。なお、ＧＩは、ＯＦＤＭシンボルに対しては、CP(Cyclic prefix)と呼ぶこともある。
【００４９】
ＬＤＰＣ符号化器７０６は、ペイロードデータ５１１を、レガシーヘッダ５１０内のＭＣＳフィールドで指定された符号化率でＬＤＰＣ符号化し、ＬＤＰＣコードワードを生成する。変調器７０７は、ＬＤＰＣコードワードをレガシーヘッダ５１０内のＭＣＳフィールドで指定された変調方式を用いて複数の複素コンスタレーションポイントに変換する。
【００５０】
サブキャリアマッピング部７０８は、事前定義された規則に従って複素コンスタレーションポイントを３３６個単位で３３６本のデータサブキャリアにマッピングする。サブキャリアは全部で５１２本あり、残りの１７６本のサブキャリアはＤＣサブキャリア、パイロットサブキャリア、ガードバンドとして使用される。
【００５１】
ＩＦＦＴ部７０９は、周波数領域でサブキャリアマッピングされたペイロードデータ５１１を５１２ポイントＩＦＦＴ処理により時間領域信号へと変換する。ＧＩ挿入部７１０は、ＩＦＦＴ部７０９の出力信号の後端の１２８サンプルをコピーしてＧＩ５０８、５０９としてＩＦＦＴ出力信号の先端につなぎ合わせてＯＦＤＭシンボルを生成する。
【００５２】
ＤＡＣ７０２は、ベースバンド信号処理部７０１で生成されたＬＦ  ＯＦＤＭ  ＰＰＤＵ１００を含むデジタルベースバンド信号をアナログベースバンド信号へと変換する。ＲＦフロントエンド７０３は、周波数変換、増幅等の処理によりＬＦ  ＯＦＤＭ  ＰＰＤＵ１００を含むアナログベースバンド信号を無線周波数信号に変換する。アンテナ７０４は、無線周波数信号を空間に放射する。
【００５３】
図８は、従来技術によるＬＦ  ＯＦＤＭ  Ａ−ＰＰＤＵ８００のフォーマットの一例を示す図である。ＬＦ  ＯＦＤＭ  Ａ−ＰＰＤＵ８００は、３つのＬＦ  ＯＦＤＭ  ＰＰＤＵ８０１、８０２、８０３で構成されており、各ＬＦ  ＯＦＤＭ  ＰＰＤＵ８０１、８０２、８０３は、間にＩＦＳやプリアンブルを設けずに連結され、レガシーヘッダフィールド８０６、８０８、８１０およびデータフィールド８０７、８０９、８１１を含む。
【００５４】
なお、ＬＦ  ＯＦＤＭ  Ａ−ＰＰＤＵ８００の先頭に配置されたＬＦ  ＯＦＤＭ  ＰＰＤＵ８０１は、レガシーヘッダフィールド８０６、データフィールド８０７、レガシーＳＴＦ８０４およびレガシーＣＥＦ８０５を含む。
【００５５】
ＬＦ  ＯＦＤＭ  Ａ−ＰＰＤＵ８００の最後尾に配置されたＬＦ  ＯＦＤＭ  ＰＰＤＵ８０３は、レガシーヘッダフィールド８１０、データフィールド８１１、任意のＡＧＣサブフィールド８１２とＴＲＮ−Ｒ／Ｔサブフィールド８１３を含む。
【００５６】
レガシーＳＴＦ８０４、レガシーＣＥＦ８０５、レガシーヘッダフィールド８０６、８０８、８１０、データフィールド８０７、８０９、８１１、ＡＧＣサブフィールド８１２、およびＴＲＮ−Ｒ／Ｔサブフィールド８１３の定義は、図５のＬＦ  ＯＦＤＭ  ＰＰＤＵ５００の対応するフィールドの定義と同じであるため、説明を省略する。
【００５７】
図８では、ＬＦ  ＯＦＤＭ  ＰＰＤＵ８０１、８０２は、別のＬＦ  ＯＦＤＭ  ＰＰＤＵ８０２、８０３によって後続されるので、ＬＦ  ＯＦＤＭ  ＰＰＤＵ８０１、８０２のレガシーヘッダフィールド８０６、８０８のＡｄｄｉｔｉｏｎａｌ  ＰＰＤＵフィールドは１に設定され、後続するＬＦ  ＯＦＤＭ  ＰＰＤＵがないＬＦ  ＯＦＤＭ  ＰＰＤＵ８０３のレガシーヘッダフィールド８１０のＡｄｄｉｔｉｏｎａｌ  ＰＰＤＵフィールドは０に設定される。
【００５８】
図８では、ＬＦ  ＯＦＤＭ  Ａ−ＰＰＤＵ８００の全てのフィールドは、２．１６ＧＨｚの標準チャネル帯域幅を使って送信される。ＬＦ  ＯＦＤＭ  Ａ−ＰＰＤＵ８００のレガシーＳＴＦ８０４、レガシーＣＥＦ８０５、ＡＧＣサブフィールド８１２、およびＴＲＮ−Ｒ／Ｔサブフィールド８１３は、ＳＣ変調で送信され、レガシーヘッダ８０６、８０８、８１０とデータフィールド８０７、８０９、８１１は、ＯＦＤＭ変調で送信される。
【００５９】
なお、図８では、各ＬＦ  ＯＦＤＭ  ＰＰＤＵの最終段に位置するペイロードデータ８１４の後段にＧＩ８１５を付加しなくてよい。
【００６０】
図９は、本開示における標準チャネル帯域幅で送信されるＭＦ  ＳＣ  ＰＰＤＵ９００のフォーマットの一例を示す図である。ＭＦ  ＳＣ  ＰＰＤＵ９００は、レガシーＳＴＦ９０１と、レガシーＣＥＦ９０２と、レガシーヘッダフィールド９０３と、非レガシーヘッダフィールド９０４と、非レガシーＳＴＦ９０５と、非レガシーＣＥＦ９０６と、データフィールド９０７と、任意のＡＧＣサブフィールド９０８と、任意のＴＲＮ−Ｒ／Ｔサブフィールド９０９とを含む。
【００６１】
ただし、非レガシーＳＴＦ９０５および非レガシーＣＥＦ９０６は、データフィールド９０７がＳＩＳＯ（Ｓｉｎｇｌｅ  Ｉｎｐｕｔ  Ｓｉｎｇｌｅ  Ｏｕｔｐｕｔ（単入力単出力））を使って送信される場合、レガシーＳＴＦ９０１で調整したＡＧＣレベル、レガシーＣＥＦ９０２で得たチャネル推定結果をデータフィールド９０７に使うことができるため省略されることがある。
【００６２】
レガシーＳＴＦ９０１、レガシーＣＥＦ９０２、レガシーヘッダフィールド９０３、ＡＧＣサブフィールド９０８、およびＴＲＮ−Ｒ／Ｔサブフィールド９０９の定義は、図１のＬＦ  ＳＣ  ＰＰＤＵ１００の対応するフィールドの定義と同じであるため、説明を省略する。
【００６３】
非レガシーヘッダフィールド９０４は、ＭＦ  ＳＣ  ＰＰＤＵ９００の詳細を定義する非レガシーヘッダ９１３を含む。図１０は、非レガシーヘッダに含まれる複数のフィールドを示す。
【００６４】
なお、ＭＦ  ＳＣ  ＰＰＤＵ９００に非レガシーＳＴＦ９０５または非レガシーＣＥＦ９０６が存在する場合には、周波数領域等化を容易にするために、非レガシーヘッダフィールド９０４の最終ＳＣブロック９１０の後尾にＧＩ９１２が付加される。
【００６５】
非レガシーＳＴＦ９０５は、ＡＧＣの再調整に用いられる。非レガシーＣＥＦ９０６は、データフィールド９０７のチャネル推定に用いられる。
【００６６】
データフィールド９０７は、ＭＦ  ＳＣ  ＰＰＤＵ９００のペイロードデータ９１４を含む。データフィールド９０７のデータオクテット数は、非レガシーヘッダのＰＳＤＵ  Ｌｅｎｇｔｈフィールドによって指定され、データフィールド９０７で使われる変調方式および符号化率は、非レガシーヘッダの非レガシーＭＣＳフィールドによって指定される。データフィールド９０７の最終ＳＣブロック９１１の後尾には、周波数領域等化を容易にするために、ＧＩ９１２ａが付加される。
【００６７】
なお、ＭＦ  ＳＣ  ＰＰＤＵ９００の全てのフィールドは、２．１６ＧＨｚの標準チャネル帯域幅を使ってＳＣ変調で送信される。
【００６８】
図１１は、本開示における標準チャネル帯域幅の２倍の可変チャネル帯域幅で送信されるＭＦ  ＳＣ  ＰＰＤＵ１１００のフォーマットの一例を示す図である。ＭＦ  ＳＣ  ＰＰＤＵ１１００は、レガシーＳＴＦ１１０１と、レガシーＣＥＦ１１０２と、レガシーヘッダフィールド１１０３と、非レガシーヘッダフィールド１１０４と、非レガシーＳＴＦ１１０５と、非レガシーＣＥＦ１１０６と、データフィールド１１０７と、任意のＡＧＣサブフィールド１１０８と、任意のＴＲＮ−Ｒ／Ｔサブフィールド１１０９とを含む。
【００６９】
レガシーＳＴＦ１１０１、レガシーＣＥＦ１１０２、レガシーヘッダフィールド１１０３、非レガシーヘッダフィールド１１０４、ＡＧＣサブフィールド１１０８、およびＴＲＮ−Ｒ／Ｔサブフィールド１１０９の定義は、図９のＭＦ  ＳＣ  ＰＰＤＵ９００の対応するフィールドの定義と同じであるため、説明を省略する。
【００７０】
データフィールド１１０７とレガシーＳＴＦ１１０１およびレガシーＣＥＦ１１０６のチャネル帯域幅が異なるので、ＭＦ  ＳＣ  ＰＰＤＵ１１００には非レガシーＳＴＦ１１０５と非レガシーＣＥＦ１１０６が存在する。従って、非レガシーヘッダフィールド１１０４の最終ＳＣブロック１１１０の後尾には２．１６ＧＨｚの標準チャネル帯域幅を使ったＧＩ１１１１が付加される。
【００７１】
図１１では、レガシーＳＴＦ１１０１、レガシーＣＥＦ１１０２、レガシーヘッダフィールド１１０３、および非レガシーヘッダフィールド１１０４は、複製され、それぞれ標準チャネル帯域幅Ｂの半分の帯域である（＝１．０８ＧＨｚ）の周波数オフセットＢ／２が与えられて標準チャネル帯域幅Ｂ（＝２．１６ＧＨｚ）で送信される。
【００７２】
一方で、非レガシーＳＴＦ１１０５、非レガシーＣＥＦ１１０６、データフィールド１１０７、ＡＧＣサブフィールド１１０８、およびＴＲＮ−Ｒ／Ｔサブフィールド１１０９は、標準チャネル帯域幅Ｂの２倍の帯域である可変チャネル帯域幅２Ｂ（＝４．３２ＧＨｚ）で送信される。従って、非レガシーヘッダフィールド１１０４と非レガシーＳＴＦ１１０５の境界では、サンプリングレート変換処理が行われる。なお、ＭＦ  ＳＣ  ＰＰＤＵ１１００の全てのフィールドは、ＳＣ変調で送信される。
【００７３】
なお、図１１では、各フィールドの占有帯域幅を考慮して図示したが、以後の図では、図面簡略化のためチャネル帯域幅を用いて図示する。
【００７４】
図１２は、本開示におけるＭＦ  ＳＣ  ＰＰＤＵのデータフィールドにおけるＳＣブロックの詳細構成の一例を示す図である。標準チャネル帯域幅を用いるときのＧＩのシンボル数ＮＧＩ、標準チャネル帯域幅を用いるときのＳＣブロックあたりのペイロードデータのシンボル数ＮＤ、ＧＩ期間ＴＧＩ、ペイロードデータのデータ期間ＴＤ、標準チャネル帯域幅と可変チャネル帯域幅の比率（＝可変チャネル帯域幅／標準チャネル帯域幅）ＲＣＢを示す。
【００７５】
従って、ＲＣＢ＝１は、図９のデータフィールド９０７におけるＳＣブロックの構成を示しており、ＲＣＢ＝２は、図１１のデータフィールド１１０７におけるＳＣブロックの構成を示している。
【００７６】
なお、シンボルブロッキングおよびＧＩ挿入において、マルチパス遅延波に対する干渉回避性能と伝送効率を維持すること、すなわち、ＲＣＢに依らずＧＩ期間をＴＧＩに保ち、ＧＩ期間ＴＧＩとデータ期間ＴＤの比率を一定にすることが求められる。
【００７７】
ＧＩやペイロードデータのシンボル長は、ＲＣＢに比例して短くなるので、ＧＩサイズをＲＣＢ×ＮＧＩと設定することによって、ＧＩ期間がＴＧＩに保たれる。また、データサイズをＲＣＢ×ＮＤと設定することによって、データ期間がＴＤに保たれる。上記設定によって、ＧＩ期間とデータ期間の比率が一定に保たれる。
【００７８】
なお、標準チャネル帯域幅で送信される非レガシーヘッダフィールドにおけるＳＣブロックの構成は、ＲＣＢ＝１の場合と同じである。
【００７９】
図１３は、本開示における標準チャネル帯域幅で送信されるＭＦ  ＳＣ  Ａ−ＰＰＤＵ１３００のフォーマットの一例を示す図である。ＭＦ  ＳＣ  Ａ−ＰＰＤＵ１３００は、３つのＭＦ  ＳＣ  ＰＰＤＵ１３０１、１３０２、１３０３を含み、各ＭＦ  ＳＣ  ＰＰＤＵは、間にＩＦＳやプリアンブルを設けずに連結され、非レガシーヘッダフィールドおよびデータフィールドを含む。
【００８０】
例えば、ＭＦ  ＳＣ  Ａ−ＰＰＤＵ１３００の先頭に配置されたＭＦ  ＳＣ  ＰＰＤＵ１３０１は、非レガシーヘッダフィールド１３０７、データフィールド１３１０、レガシーＳＴＦ１３０４、レガシーＣＥＦ１３０５、レガシーヘッダフィールド１３０６、非レガシーＳＴＦ１３０８、非レガシーＣＥＦ１３０９を含む。
【００８１】
ただし、非レガシーＳＴＦ１３０８および非レガシーＣＥＦ１３０９は、データフィールド１３１０、１３１２、１３１４がＳＩＳＯを使って送信される場合には、レガシーＳＴＦ１３０４で調整したＡＧＣレベル、レガシーＣＥＦ１３０５で得たチャネル推定結果をデータフィールド１３１０、１３１２、１３１４に使うことができるため省略してもよい。
【００８２】
なお、ＭＦ  ＳＣ  Ａ−ＰＰＤＵ１３００の最後尾に配置されたＭＦ  ＳＣ  ＰＰＤＵ１３０３は、非レガシーヘッダフィールド１３１３、データフィールド１３１４、任意のＡＧＣサブフィールド１３１５、任意のＴＲＮ−Ｒ／Ｔサブフィールド１３１６を含む。
【００８３】
レガシーＳＴＦ１３０４、レガシーＣＥＦ１３０５、レガシーヘッダフィールド１３０６、非レガシーヘッダフィールド１３０７、１３１１、１３１３、非レガシーＳＴＦ１３０８、非レガシーＣＥＦ１３０９、ＡＧＣサブフィールド１３１５、およびＴＲＮ−Ｔ／Ｒサブフィールド１３１６の定義は、図９のＭＦ  ＳＣ  ＰＰＤＵ９００の対応するフィールドの定義と同じであるため、説明を省略する。
【００８４】
ＭＦ  ＳＣ  ＰＰＤＵ１３０３は、別のＭＦ  ＳＣ  ＰＰＤＵによって後続されないので、ＭＦ  ＳＣ  ＰＰＤＵ１３０３の非レガシーヘッダフィールド１３１３のＡｄｄｉｔｉｏｎａｌ  ＰＰＤＵフィールドは０に設定され、ＭＦ  ＳＣ  ＰＰＤＵ１３０１、１３０２は、別のＭＦ  ＳＣ  ＰＰＤＵ１３０２、１３０３によって後続されるので、の非レガシーヘッダフィールド（１３０７、１３１１）のＡｄｄｉｔｉｏｎａｌ  ＰＰＤＵフィールドは１に設定される。
【００８５】
なお、レガシーデバイスにＭＦ  ＳＣ  Ａ−ＰＰＤＵ１３００を従来のＬＦ  ＳＣ  ＰＰＤＵとして受信させるために、レガシーヘッダフィールド１３０６内のＡｄｄｉｔｉｏｎａｌ  ＰＰＤＵフィールドは０に設定される。
【００８６】
ＭＦ  ＳＣ  ＰＰＤＵ１３０３のデータフィールド１３１４を除き、例えば、データフィールド１３１０の最終ＳＣブロック１３１７は、後続するＭＦ  ＳＣ  ＰＰＤＵ１３０２の非レガシーヘッダフィールド１３１１の先頭のＳＣブロック１３１８に後続されるので、ＧＩ１３２０ａの付加が省略され、後続するＭＦ  ＳＣ  ＰＰＤＵがない、ＭＦ  ＳＣ  ＰＰＤＵ１３０３のデータフィールド１３１４の最終ＳＣブロック１３１９は、後尾にＧＩ１３２０ａが付加される。つまり、非レガシーヘッダのＡｄｄｉｔｉｏｎａｌ  ＰＰＤＵフィールドが１の場合は、ＧＩ１３２０ａの付加を省略する。
【００８７】
ＭＦ  ＳＣ  Ａ−ＰＰＤＵ１３００の全てのフィールドは、２．１６ＧＨｚの標準チャネル帯域幅を使ってＳＣ変調で送信される。
【００８８】
図１４は、標準チャネル帯域幅の２倍の可変チャネル帯域幅で送信されるＭＦ  ＳＣ  Ａ−ＰＰＤＵ１４００のフォーマットの一例を示す図である。ＭＦ  ＳＣ  Ａ−ＰＰＤＵ１４００は、３つのＭＦ  ＳＣ  ＰＰＤＵ１４０１、１４０２、１４０３で構成されている。各ＭＦ  ＳＣ  ＰＰＤＵは、間にＩＦＳやプリアンブルを設けずに連結され、非レガシーヘッダフィールドおよびデータフィールドを含む。
【００８９】
例えば、ＭＦ  ＳＣ  Ａ−ＰＰＤＵ１４００の先頭に配置されたＭＦ  ＳＣ  ＰＰＤＵ１４０１は、非レガシーヘッダフィールド１４０７、データフィールド１４１０、レガシーＳＴＦ１４０４、レガシーＣＥＦ１４０５、レガシーヘッダフィールド１４０６、非レガシーＳＴＦ１４０８、および非レガシーＣＥＦ１４０９を含む。
【００９０】
なお、ＭＦ  ＳＣ  Ａ−ＰＰＤＵ１４００の最後尾に配置されたＭＦ  ＳＣ  ＰＰＤＵ１４０３は、非レガシーヘッダフィールド１４０７、データフィールド１４１０、任意のＡＧＣサブフィールド１４１５と任意のＴＲＮ−Ｒ／Ｔサブフィールド１４１６を含む。
【００９１】
レガシーＳＴＦ１４０４、レガシーＣＥＦ１４０５、レガシーヘッダフィールド１４０６、非レガシーヘッダフィールド（１４０７、１４１１、１４１３）、非レガシーＳＴＦ１４０８、非レガシーＣＥＦ１４０９、ＡＧＣサブフィールド１４１５、およびＴＲＮ−Ｔ／Ｒサブフィールド１４１６の定義は、図１１のＭＦ  ＳＣ  ＰＰＤＵ１１００の対応するフィールドの定義と同じであるため、説明を省略する。
【００９２】
例えば、ＭＦ  ＳＣ  ＰＰＤＵ１４０３は、別のＭＦ  ＳＣ  ＰＰＤＵによって後続されないので、非レガシーヘッダフィールド１４１３のＡｄｄｉｔｉｏｎａｌ  ＰＰＤＵフィールドは０に設定され、その他ＭＦ  ＳＣ  ＰＰＤＵ１４０１、１４０２は、別のＭＦ  ＳＣ  ＰＰＤＵによって後続されるので、非レガシーヘッダフィールド１４０７、１４１１のＡｄｄｉｔｉｏｎａｌ  ＰＰＤＵフィールドは１に設定される。
【００９３】
なお、レガシーデバイスにＭＦ  ＳＣ  Ａ−ＰＰＤＵ１４００を従来のＬＦ  ＳＣ  ＰＰＤＵとして受信させるために、レガシーヘッダフィールド１４０６に含まれるレガシーヘッダのＡｄｄｉｔｉｏｎａｌ  ＰＰＤＵフィールドは０に設定される。
【００９４】
データフィールド１４１０、１４１２、１４１４が非レガシーヘッダフィールド１４０７、１４１１、１４１３よりも広いチャネル帯域幅で送信されるので、ＭＦ  ＳＣ  ＰＰＤＵ１４０２、１４０３では、非レガシーヘッダフィールド１４１１，１４１３の直後にデータフィールド１４１２、１４１４が続く場合であっても、非レガシーヘッダフィールド１４１１，１４１３の最終ＳＣブロック１４１８、１４２２の後尾にＧＩ１４２０ａが付加される。
【００９５】
ＭＦ  ＳＣ  ＰＰＤＵ１４０３は、別のＭＦ  ＳＣ  ＰＰＤＵによって後続されないので、データフィールド１４１４の最終ＳＣブロック１４１９の後尾にＧＩ１４２１ａが付加される。
【００９６】
一方で、ＭＦ  ＳＣ  ＰＰＤＵ１４０１、１４０２は、別のＭＦ  ＳＣ  ＰＰＤＵ１４０２、１４０３によって後続されるが、データフィールド１４１０、１４１２と後続する非レガシーヘッダフィールド１４１１、１４１３のチャネル帯域幅が異なるため、ＭＦ  ＳＣ  ＰＰＤＵ１４０３と同様にデータフィールド１４１０、１４１２の最終ＳＣブロック１４１７、１４２３の後尾にＧＩ１４２１ａが付加される。
【００９７】
また、データフィールド１４１０、１４１２と後続する非レガシーヘッダフィールド１４１１，１４１３の境界では、サンプリングレート変換処理が実施される。
【００９８】
図１４では、レガシーＳＴＦ１４０４、レガシーＣＥＦ１４０５、レガシーヘッダフィールド１４０６、非レガシーヘッダフィールド１４０７は、周波数領域で複製され、それぞれ標準チャネル帯域幅Ｂの半分の帯域である周波数オフセットＢ／２（＝１．０８ＧＨｚ）が与えられて標準チャネル帯域幅Ｂ（＝２．１６ＧＨｚ）で送信される。
【００９９】
一方で、非レガシーＳＴＦ１４０８、非レガシーＣＥＦ１４０９、データフィールド１４１０、１４１２、１４１４、ＡＧＣサブフィールド１４１５、ＴＲＮ−Ｒ／Ｔサブフィールド１４１６は、標準チャネル帯域幅Ｂの半分の帯域である可変チャネル帯域幅２Ｂ（＝４．３２ＧＨｚ）で送信される。また、ＭＦ  ＳＣ  Ａ−ＰＰＤＵ１４００の全てのフィールドは、ＳＣ変調で送信される。
【０１００】
図１５は、本開示における標準チャネル帯域幅で送信されるＭＦ  ＯＦＤＭ  ＰＰＤＵ１５００のフォーマットの一例を示す図である。ＭＦ  ＯＦＤＭ  ＰＰＤＵ１５００は、レガシーＳＴＦ１５０１と、レガシーＣＥＦ１５０２と、レガシーヘッダフィールド１５０３と、非レガシーヘッダフィールド１５０４と、非レガシーＳＴＦ１５０５と、非レガシーＣＥＦ１５０６と、データフィールド１５０７と、任意のＡＧＣサブフィールド１５０８、および任意のＴＲＮ−Ｒ／Ｔサブフィールド１５０９とを含む。なお、非レガシーＳＴＦ１５０５および非レガシーＣＥＦ１５０６は、データフィールド１５０７がＳＩＳＯを使って送信される場合には、レガシーＳＴＦ１５０１で調整したＡＧＣレベル、レガシーＣＥＦ１５０２で得たチャネル推定結果をデータフィールド１５０７に使うことができるため省略してもよい。
【０１０１】
レガシーＳＴＦ１５０１、レガシーＣＥＦ１５０２、レガシーヘッダフィールド１５０３、ＡＧＣサブフィールド１５０８、およびＴＲＮ−Ｒ／Ｔサブフィールド１５０９の定義は、図５のＬＦ  ＯＦＤＭ  ＰＰＤＵ５００の対応するフィールドの定義と同じであるため、説明を省略する。非レガシーヘッダフィールド１５０４に含まれる非レガシーヘッダの構成は、図１０と同じである。
【０１０２】
図１５では、ＭＦ  ＯＦＤＭ  ＰＰＤＵ１５００の全てのフィールドは、２．１６ＧＨｚの標準チャネル帯域幅を使って送信される。レガシーＳＴＦ１５０１、レガシーＣＥＦ１５０２、レガシーヘッダフィールド１５０３、非レガシーヘッダフィールド１５０４、非レガシーＳＴＦ１５０５、ＡＧＣサブフィールド１５０８、ＴＲＮ−Ｒ／Ｔサブフィールド１５０９は、ＳＣ変調で送信され、非レガシーＣＥＦ１５０６、およびデータフィールド１５０７は、ＯＦＤＭ変調で送信される。
【０１０３】
従って、非レガシーＳＴＦ１５０５と非レガシーＣＥＦ１５０６が無い場合でも、非レガシーヘッダフィールド１５０４の最終ＳＣブロック１５１０には、ＧＩ１５１１ａが後尾に付加される。
【０１０４】
また、図５のＬＦ  ＯＦＤＭ  ＰＰＤＵ５００と同様にＯＦＤＭ変調で送信される非レガシーＣＥＦ１５０６、およびデータフィールド１５０７は、ＳＣ変調で送信されるレガシーＳＴＦ１５０１、レガシーＣＥＦ１５０２、レガシーヘッダフィールド１５０３、非レガシーヘッダフィールド１５０４、非レガシーＳＴＦ１５０５、ＡＧＣサブフィールド１５０８、ＴＲＮ−Ｒ／Ｔサブフィールド１５０９よりも速いサンプリングレートで送信される。従って、非レガシーＳＴＦ１５０５と非レガシーＣＥＦ１５０６の境界、およびデータフィールド１５０７とＡＧＣサブフィールド１５０８の境界ではサンプリングレート変換処理が実施される。
【０１０５】
図１６は、本開示における標準チャネル帯域幅Ｂの２倍の可変チャネル帯域幅で送信されるＭＦ  ＯＦＤＭ  ＰＰＤＵ１６００のフォーマットの一例を示す図である。ＭＦ  ＯＦＤＭ  ＰＰＤＵ１６００は、レガシーＳＴＦ１６０１と、レガシーＣＥＦ１６０２と、レガシーヘッダフィールド１６０３と、非レガシーヘッダフィールド１６０４と、非レガシーＳＴＦ１６０５と、非レガシーＣＥＦ１６０６と、データフィールド１６０７と、任意のＡＧＣサブフィールド１６０８と任意のＴＲＮ−Ｒ／Ｔサブフィールド１６０９とを含む。
【０１０６】
レガシーＳＴＦ１６０１、レガシーＣＥＦ１６０２、レガシーヘッダフィールド１６０３、非レガシーヘッダフィールド１６０４、ＡＧＣサブフィールド１６０８、およびＴＲＮ−Ｒ／Ｔサブフィールド１６０９の定義は、図１５のＭＦ  ＯＦＤＭ  ＰＰＤＵ１５００の対応するフィールドの定義と同じであるため、説明を省略する。
【０１０７】
データフィールド１６０７は、レガシーＳＴＦ１６０１及びレガシーＣＥＦ１６０２とチャネル帯域幅が異なるので、ＭＦ  ＯＦＤＭ  ＰＰＤＵ１６００には非レガシーＳＴＦ１６０５と非レガシーＣＥＦ１６０６が存在する。従って、非レガシーヘッダ１６０４の最終ＳＣブロック１６１０の後尾にはＧＩ１６１１ａが付加される。
【０１０８】
図１６では、レガシーＳＴＦ１６０１、レガシーＣＥＦ１６０２、レガシーヘッダフィールド１６０３、および非レガシーヘッダフィールド１６０４は、複製され、それぞれ標準チャネル帯域幅Ｂの半分の帯域である周波数オフセットＢ／２（＝１．０８ＧＨｚ）が与えられて標準チャネル帯域幅Ｂ（＝２．１６ＧＨｚ）で送信される。一方で、非レガシーＳＴＦ１６０５、非レガシーＣＥＦ１６０６、データフィールド１６０７、ＡＧＣサブフィールド１６０８、ＴＲＮ−Ｒ／Ｔサブフィールド１６０９は、標準チャネル帯域幅Ｂの２倍の帯域である可変チャネル帯域幅２Ｂ（＝４．３２ＧＨｚ）で送信される。従って、非レガシーヘッダフィールド１６０４と非レガシーＳＴＦ１６０５の境界ではサンプリングレート変換処理が実施される。
【０１０９】
また、レガシーＳＴＦ１６０１、レガシーＣＥＦ１６０２、レガシーヘッダフィールド１６０３、非レガシーヘッダフィールド１６０４、非レガシーＳＴＦ１６０５、ＡＧＣサブフィールド１６０８、およびＴＲＮ−Ｒ／Ｔサブフィールド１６０９は、ＳＣ変調で送信され、非レガシーＣＥＦ１６０６、およびデータフィールド１６０７は、ＯＦＤＭ変調で送信される。従って、非レガシーＳＴＦ１６０５と非レガシーＣＥＦ１６０６の境界、およびデータフィールド１６０７とＡＧＣサブフィールド１６０８の境界ではサンプリングレート変換処理が実施される。
【０１１０】
図１７は、本開示におけるＭＦ  ＯＦＤＭ  ＰＰＤＵ１５００、１６００のデータフィールド１５０７、１６０７におけるサブキャリアマッピングの一例を示す図である。図１７では、標準チャネル帯域幅Ｂ、標準チャネル帯域幅を用いるときのデータサブキャリア数ＮＳＤ（＝ペイロードデータのシンボル数）、標準チャネル帯域幅と可変チャネル帯域幅の比率（＝可変チャネル帯域幅／標準チャネル帯域幅）ＲＣＢを示す。
【０１１１】
簡単のため図１７ではデータサブキャリアを示しているが、実際のＭＦ  ＯＦＤＭ  ＰＰＤＵにおいては、帯域内にＤＣサブキャリア、パイロットサブキャリア、ガードバンドも存在する。
【０１１２】
図１７では、ＭＦ  ＯＦＤＭ  ＰＰＤＵは、ＲＣＢに比例してデータサブキャリア数が増加するので、データサブキャリアにマッピングするペイロードデータのシンボル数もＲＣＢに比例して増加する。
【０１１３】
図１８は、本開示における標準チャネル帯域幅で送信されるＭＦ  ＯＦＤＭ  Ａ−ＰＰＤＵ１８００のフォーマットの一例を示す図である。ＭＦ  ＯＦＤＭ  Ａ−ＰＰＤＵ１８００は、３つのＭＦ  ＯＦＤＭ  ＰＰＤＵ１８０１、１８０２、１８０３で構成されている。各ＭＦ  ＯＦＤＭ  ＰＰＤＵは、間にＩＦＳやプリアンブルを設けずに連結され、非レガシーヘッダフィールドおよびデータフィールドを含む。
【０１１４】
例えば、ＭＦ  ＯＦＤＭ  Ａ−ＰＰＤＵ１８００の先頭に配置されたＭＦ  ＯＦＤＭ  ＰＰＤＵ１８０１は、非レガシーヘッダフィールド１８０７、データフィールド１８１０、レガシーＳＴＦ１８０４、レガシーＣＥＦ１８０５、レガシーヘッダフィールド１８０６、非レガシーＳＴＦ１８０８、非レガシーＣＥＦ１８０９を含む。
【０１１５】
なお、非レガシーＳＴＦ１８０８および非レガシーＣＥＦ１８０９は、データフィールド１８１０、１８１２、１８１４がＳＩＳＯを使って送信される場合には、レガシーＳＴＦ１８０４で調整したＡＧＣレベル、レガシーＣＥＦ１８０５で得たチャネル推定結果をデータフィールド１８１０、１８１２、１８１４に使うことができるため省略してもよい。
【０１１６】
ＭＦ  ＯＦＤＭ  Ａ−ＰＰＤＵ１８００の最後尾に配置されたＭＦ  ＯＦＤＭ  ＰＰＤＵ１８０３は、非レガシーヘッダフィールド１８０７、データフィールド１８１０、任意のＡＧＣサブフィールド１８１５、任意のＴＲＮ−Ｒ／Ｔサブフィールド１８１６を含む。
【０１１７】
ＭＦ  ＯＦＤＭ  Ａ−ＰＰＤＵ１８００のレガシーＳＴＦ１８０４、レガシーＣＥＦ１８０５、レガシーヘッダフィールド１８０６、非レガシーヘッダフィールド１８０７、１８１１、１８１３、非レガシーＳＴＦ１８０８、非レガシーＣＥＦ１８０９、ＡＧＣサブフィールド１８１５、およびＴＲＮ−Ｔ／Ｒサブフィールド１８１６の定義は、図１５のＭＦ  ＯＦＤＭ  ＰＰＤＵ１５００の対応するフィールドの定義と同じであるため、説明を省略する。
【０１１８】
ＭＦ  ＯＦＤＭ  ＰＰＤＵ１８０３は、別のＭＦ  ＯＦＤＭ  ＰＰＤＵによって後続されないので、ＭＦ  ＯＦＤＭ  ＰＰＤＵ１８０３の非レガシーヘッダフィールド１８１３のＡｄｄｉｔｉｏｎａｌ  ＰＰＤＵフィールドは０に設定され、その他ＭＦ  ＳＣ  ＰＰＤＵ１８０１、１８０２は、別のＭＦ  ＯＦＤＭ  ＰＰＤＵによって後続されるので、非レガシーヘッダフィールド１８０７、１８１１のＡｄｄｉｔｉｏｎａｌ  ＰＰＤＵフィールドは１に設定される。
【０１１９】
なお、レガシーデバイスにＭＦ  ＯＦＤＭ  Ａ−ＰＰＤＵ１８００を従来のＬＦ  ＯＦＤＭ  ＰＰＤＵとして受信させるために、レガシーヘッダフィールド１８０６に含まれるレガシーヘッダのＡｄｄｉｔｉｏｎａｌ  ＰＰＤＵフィールドは０に設定される。
【０１２０】
図１８では、ＭＦ  ＯＦＤＭ  Ａ−ＰＰＤＵ１８００の全てのフィールドは、２．１６ＧＨｚの標準チャネル帯域幅を使って送信される。
【０１２１】
また、レガシーＳＴＦ１８０４、レガシーＣＥＦ１８０５、レガシーヘッダフィールド１８０６、非レガシーヘッダフィールド１８０７、１８１１、１８１３、非レガシーＳＴＦ１８０８、ＡＧＣサブフィールド１８１５、およびＴＲＮ−Ｒ／Ｔサブフィールド１８１６は、ＳＣ変調で送信され、非レガシーＣＥＦ１８０９、およびデータフィールド１８１０、１８１２、１８１４は、ＯＦＤＭ変調で送信される。
【０１２２】
従って、データフィールド１８１０と非レガシーヘッダフィールド１８１１の境界、非レガシーヘッダフィールド１８１１とデータフィールド１８１２の境界、データフィールド１８１２と非レガシーヘッダフィールド１８１３の境界、および非レガシーヘッダフィールド１８１３とデータフィールド１８１４の境界ではサンプリングレート変換処理が実施される。
【０１２３】
図１９は、本開示における標準チャネル帯域幅Ｂの２倍の可変チャネル帯域幅で送信されるＭＦ  ＯＦＤＭ  Ａ−ＰＰＤＵ１９００のフォーマットの一例を示す図である。
【０１２４】
ＭＦ  ＯＦＤＭ  Ａ−ＰＰＤＵ１９００は、３つのＭＦ  ＯＦＤＭ  ＰＰＤＵ１９０１、１９０２、１９０３で構成されている。各ＭＦ  ＯＦＤＭ  ＰＰＤＵは、間にＩＦＳやプリアンブルを設けることなく連結され、非レガシーヘッダフィールドおよびデータフィールドを含む。
【０１２５】
例えば、ＭＦ  ＯＦＤＭ  Ａ−ＰＰＤＵ１９００の先頭に配置されたＭＦ  ＯＦＤＭ  ＰＰＤＵ１９０１は、非レガシーヘッダフィールド１９０７、データフィールド１９１０、レガシーＳＴＦ１９０４、レガシーＣＥＦ１９０５、レガシーヘッダフィールド１９０６、非レガシーＳＴＦ１９０８、および非レガシーＣＥＦ１９０９を含む。
【０１２６】
ＭＦ  ＯＦＤＭ  Ａ−ＰＰＤＵ１９００の最後尾に配置されたＭＦ  ＯＦＤＭ  ＰＰＤＵ１９０３は、非レガシーヘッダフィールド１９１３、データフィールド１９１４、任意のＡＧＣサブフィールド１９１５、任意のＴＲＮ−Ｒ／Ｔサブフィールド１９１６を含む。
【０１２７】
レガシーＳＴＦ１９０４、レガシーＣＥＦ１９０５、レガシーヘッダフィールド１９０６、非レガシーヘッダフィールド１９０７、１９１１、１９１３、非レガシーＳＴＦ１９０８、非レガシーＣＥＦ１９０９、ＡＧＣサブフィールド１９１５、およびＴＲＮ−Ｔ／Ｒサブフィールド１９１６の定義は、図１６のＭＦ  ＯＦＤＭ  ＰＰＤＵ１６００の対応するフィールドの定義と同じであるため、説明を省略する。
【０１２８】
ＭＦ  ＯＦＤＭ  ＰＰＤＵ１９０３は、別のＭＦ  ＯＦＤＭ  ＰＰＤＵによって後続されないので、ＭＦ  ＯＦＤＭ  ＰＰＤＵ１９０３の非レガシーヘッダフィールド１９１３のＡｄｄｉｔｉｏｎａｌ  ＰＰＤＵフィールドは０に設定され、その他ＭＦ  ＳＣ  ＰＰＤＵ１９０１、１９０２は、別のＭＦ  ＯＦＤＭ  ＰＰＤＵ１９０２、１９０３によって後続されるので、非レガシーヘッダフィールド１９０７、１９１１のＡｄｄｉｔｉｏｎａｌ  ＰＰＤＵフィールドは１に設定される。
【０１２９】
なお、レガシーデバイスにＭＦ  ＯＦＤＭ  Ａ−ＰＰＤＵ１９００を従来のＬＦ  ＯＦＤＭ  ＰＰＤＵとして受信させるために、レガシーヘッダフィールド１９０６に含まれるレガシーヘッダのＡｄｄｉｔｉｏｎａｌ  ＰＰＤＵフィールドは０に設定される。
【０１３０】
図１９では、レガシーＳＴＦ１９０４、レガシーＣＥＦ１９０５、レガシーヘッダフィールド１９０６、非レガシーヘッダフィールド１９０７、１９１１、１９１３は、複製され、それぞれ標準チャネル帯域幅Ｂの半分の帯域である周波数オフセットＢ／２（＝１．０８ＧＨｚ）が与えられて標準チャネル帯域幅Ｂ（＝２．１６ＧＨｚ）で送信される。一方で、非レガシーＳＴＦ１９０８、非レガシーＣＥＦ１９０９、データフィールド１９１０、１９１２、１９１４、ＡＧＣサブフィールド１９１５、ＴＲＮ−Ｒ／Ｔサブフィールド１９１６は、標準チャネル帯域幅Ｂの２倍の帯域である可変チャネル帯域幅２Ｂ（＝４．３２ＧＨｚ）で送信される。
【０１３１】
また、レガシーＳＴＦ１９０４、レガシーＣＥＦ１９０５、レガシーヘッダフィールド１９０６、非レガシーヘッダフィールド１９０７、１９１１、１９１３、非レガシーＳＴＦ１９０８、ＡＧＣサブフィールド１９１５、およびＴＲＮ−Ｒ／Ｔサブフィール１９１６ドは、ＳＣ変調で送信され、非レガシーＣＥＦ１９０９、およびデータフィールド１９１０、１９１２、１９１４は、ＯＦＤＭ変調で送信される。
【０１３２】
従って、データフィールド１９１０と非レガシーヘッダフィールド１９１１の境界、非レガシーヘッダフィールド１９１１とデータフィールド１９１２の境界、データフィールド１９１２と非レガシーヘッダフィールド１９１３の境界、および非レガシーヘッダフィールド１９１３とデータフィールド１９１４の境界ではサンプリングレート変換処理が実施される。
【０１３３】
（実施の形態１）
図２０は、本開示の実施の形態１における標準チャネル帯域幅の２倍の可変チャネル帯域幅で送信されるＭＦ  ＳＣ  Ａ−ＰＰＤＵ２０００のフォーマットの一例を示す図である。ＭＦ  ＳＣ  Ａ−ＰＰＤＵ２０００は、３つのＭＦ  ＳＣ  ＰＰＤＵ２００１、２００２、２００３で構成されている。各ＭＦ  ＳＣ  ＰＰＤＵは、間にＩＦＳやプリアンブルを設けずに連結され、非レガシーヘッダフィールド、データフィールドを含む。データフィールドには、オーディオ、ビデオ、およびデータのすくなくとも１つが含まれる。
【０１３４】
例えば、ＭＦ  ＳＣ  Ａ−ＰＰＤＵ２０００の先頭に配置されたＭＦ  ＳＣ  ＰＰＤＵ２００１は、非レガシーヘッダフィールド２００７、データフィールド２０１０、レガシーＳＴＦ２００４、レガシーＣＥＦ２００５、レガシーヘッダフィールド２００６、非レガシーＳＴＦ２００８、非レガシーＣＥＦ２００９を含む。ＭＦ  ＳＣ  Ａ−ＰＰＤＵ２０００の最後尾に配置されたＭＦ  ＳＣ  ＰＰＤＵ２００３は、非レガシーヘッダフィールド２０１３、データフィールド２０１４、任意のＡＧＣサブフィールド２０１５と任意のＴＲＮ−Ｒ／Ｔサブフィールド２０１６を含む。
【０１３５】
レガシーＳＴＦ２００４、レガシーＣＥＦ２００５、レガシーヘッダフィールド２００６、非レガシーＳＴＦ２００８、非レガシーＣＥＦ２００９、ＡＧＣサブフィールド２０１５、およびＴＲＮ−Ｔ／Ｒサブフィールド２０１６の定義は、図１４のＭＦ  ＳＣ  Ａ−ＰＰＤＵ１４００の対応するフィールドの定義と同じであるため、説明を省略する。
【０１３６】
図１４のＭＦ  ＳＣ  Ａ−ＰＰＤＵ１４００と図２０のＭＦ  ＳＣ  Ａ−ＰＰＤＵ２０００との差異を以下に記載する。
【０１３７】
図２０では、先頭に配置されたＭＦ  ＳＣ  ＰＰＤＵ２００１の非レガシーヘッダフィールドは標準チャネル帯域幅Ｂで送信され、２番目以降に配置されたＭＦ  ＳＣ  ＰＰＤＵ２００２、２００３の非レガシーヘッダフィールド２０１１、２０１３が可変チャネル帯域幅２Ｂで送信されることである。
【０１３８】
つまり、図２０では、非レガシーヘッダフィールド２００７は、複製され、それぞれ標準チャネル帯域幅Ｂの半分の帯域である周波数オフセットＢ／２（＝１．０８ＧＨｚ）が与えられて標準チャネル帯域幅Ｂ（＝２．１６ＧＨｚ）で送信されるが、非レガシーヘッダフィールド２０１１、２０１３は、標準チャネル帯域幅Ｂの２倍の帯域である可変チャネル帯域幅２Ｂ（＝４．３２ＧＨｚ）で送信される。従って、非レガシーヘッダフィールド２００７の最終ＳＣブロック２０１７の後尾にはＧＩ２０２２ａが付加されるが、非レガシーヘッダフィールド２０１１、２０１３の最終ＳＣブロック２０１９、２０２０の後尾にはＧＩ２０２３ａが付加されない。
【０１３９】
図２１は、本開示の実施の形態１における非レガシーヘッダフィールドにおけるＳＣブロックの詳細構成の一例を示す図である。図２１では、標準チャネル帯域幅を用いるときのＧＩのシンボル数ＮＧＩ、標準チャネル帯域幅を用いるときのＳＣブロックあたりの非レガシーヘッダのシンボル数ＮNLHは、ＧＩ期間ＴＧＩ、非レガシーヘッダ期間ＴＮＬＨ、標準チャネル帯域幅と可変チャネル帯域幅の比率（＝可変チャネル帯域幅／標準チャネル帯域幅）ＲＣＢを示す。
【０１４０】
従って、ＲＣＢ＝１は、図２０の非レガシーヘッダフィールド２００７におけるＳＣブロックの構成に相当し、ＲＣＢ＝２は、図２０の非レガシーヘッダフィールド２０１１、２０１３におけるＳＣブロックの構成に相当する。ＲＣＢ＝４は、非レガシーヘッダ２１００、複製非レガシーヘッダ２１０１、複製非レガシーヘッダ２１０２、複製非レガシーヘッダ２１０３を含む。
【０１４１】
図２１では、図１２と同様に、マルチパス遅延波に対する干渉回避性能と伝送効率の維持するために、非レガシーヘッダフィールドに対しても、ＲＣＢに依らずＧＩ期間をＴＧＩに保ち、ＧＩ期間と非レガシーヘッダ期間の比率を一定にすることが求められる。しかし、データフィールドと異なり非レガシーヘッダのビット数は固定であるため、ＲＣＢに比例してシンボル数を増やすことは困難であるため、非レガシーヘッダをＲＣＢ個複製し、それらを１つのＳＣブロックに配置することによって、非レガシーヘッダ期間ＴＮＬＨを一定に保つことができる。なお、ＧＩについては図１２に示す構成と同じである。このようにして、非レガシーヘッダフィールドのＳＣブロックにおけるＧＩ期間と非レガシーヘッダ期間の比率（＝ＴＧＩ／ＴＮＬＨ）が一定に保たれる。
【０１４２】
図２２は、本開示の実施の形態１におけるＭＦ  ＳＣ  Ａ−ＰＰＤＵの送信装置２２００の構成の一例を示す図である。送信装置２２００は、ベースバンド信号処理部２２０１と、ＤＡＣ２２０２と、ＲＦフロントエンド２２０３、およびアンテナ２２０４を備え、ベースバンド信号処理部２２０１は、更に、スクランブラ２２０５と、ＬＤＰＣ符号器２２０６と、変調部２２０７と、複製部２２０８と、シンボルブロッキング部２２０９と、ＧＩ挿入部２２１０を備える。
【０１４３】
複製部２２０８、シンボルブロッキング部２２０９、ＧＩ挿入部２２１０を除いて、送信装置２２００は送信装置３００と同じ構成であるため説明を省略する。
【０１４４】
複製部２２０８は、非レガシーヘッダ２１００を複製するとき、例えば、図２３の構成を用いてもよい。図２３は、遅延器２３０１、合成器２３０２、セレクタ２３０３を含み、ＲＣＢ＝４まで対応している。図２１に示したように、非レガシーヘッダはＳＣブロック内に（ＲＣＢ−１）個複製されてＮＮＬＨシンボルの時間差が与えられて連結されるので、複製部２２０８は、非レガシーヘッダ２１００に対して１×ＮＮＬＨシンボル、２×ＮＮＬＨシンボル、３×ＮＮＬＨシンボルの遅延を与えて３つの複製非レガシーヘッダ２１０１、２１０２、２１０３を生成し、入力信号として与えられた非レガシーヘッダ２１００と複製非レガシーヘッダ２１０１、２１０２、２１０３を合成する。
【０１４５】
セレクタ２３０３は、入力されるＲＣＢにしたがって、合成信号を通過させる。例えば、ＲＣＢ＝２では、セレクタ２３０３はポート２の入力信号を選択する。ポート２の信号は、非レガシーヘッダ２１００と、ＮＮＬＨシンボル遅延した複製非レガシーヘッダ２１０１との合成信号であるため、図２１のＲＣＢ＝２の構成に相当する。
【０１４６】
ＲＣＢ＝４では、セレクタ２３０３はポート４の入力信号を選択する。ポート４の信号は、非レガシーヘッダ２１００と、１×ＮＮＬＨシンボル遅延した複製非レガシーヘッダ２１０１と、２×ＮＮＬＨシンボル遅延した複製非レガシーヘッダ２１０２と、３×ＮＮＬＨシンボル遅延した複製非レガシーヘッダ２１０３との合成信号であるため、図２１のＲＣＢ＝４の構成に相当する。
【０１４７】
シンボルブロッキング部２２０９は、非レガシーヘッダフィールド２００７、２０１１、２０１３に対してはＲＣＢ×ＮNLH個単位でシンボルブロックを生成し、データフィールド２０１０、２０１２、２０１４に対してはＲＣＢ×ＮＤ個単位でシンボルブロックを生成する。
【０１４８】
ＧＩ挿入部２２１０は、ＲＣＢ×ＮＧＩシンボルのＧＩをシンボルブロックの先頭に付加し、ＳＣブロックを生成する。
【０１４９】
なお、変調部２２０７と複製部２２０８は順番を入れ替えてもよい。
【０１５０】
本実施の形態１によれば、先頭に配置されたＭＦ  ＳＣ  ＰＰＤＵ２００１の非レガシーヘッダ２００７を除き、非レガシーヘッダフィールド２０１１、２０１３とデータフィールド２０１０、２０１２、２０１４が同じチャネル帯域幅で送信されるので、非レガシーヘッダフィールド２０１１、２０１３の最終ＳＣブロック２０１９、２０２０の後尾にＧＩ２０２２ａを付加することを省略でき、また、後尾に配置されたＭＦ  ＳＣ  ＰＰＤＵ２００３のデータフィールド２０１４を除き、データフィールド２０１０、２０１２の最終ＳＣブロック２０１８，２０２４の後尾にＧＩ２０２３ａを付加することを省略できる。なお、データフィールド２０１０、２０１２、２０１４の後尾にＧＩ２０２３ａを付加してもよい。
【０１５１】
従って、図１４に示すＭＦ  ＳＣ  Ａ−ＰＰＤＵ１４００よりも伝送効率を向上することができる。また、データフィールド２０１０と非レガシーヘッダフィールド２０１１の境界、非レガシーヘッダフィールド２０１１とデータフィールド２０１２の境界、データフィールド２０１２と非レガシーヘッダフィールド２０１３の境界、および非レガシーヘッダフィールド２０１３とデータフィールド２０１４の境界でのサンプリングレート変換処理が不要になるので消費電力の削減が可能となる。
【０１５２】
（実施の形態２）
図２４は、本開示の実施の形態２における標準チャネル帯域幅で送信されるＭＦ  ＯＦＤＭ  Ａ−ＰＰＤＵ２４００のフォーマットの一例を示す図である。ＭＦ  ＯＦＤＭ  Ａ−ＰＰＤＵ２４００は、３つのＭＦ  ＯＦＤＭ  ＰＰＤＵ２４０１、２４０２、２４０３で構成されている。各ＭＦ  ＯＦＤＭ  ＰＰＤＵは、間にＩＦＳやプリアンブルを設けずに連結され、非レガシーヘッダフィールドおよびデータフィールドを含む。
【０１５３】
例えば、ＭＦ  ＯＦＤＭ  Ａ−ＰＰＤＵ２４００の先頭に配置されたＭＦ  ＯＦＤＭ  ＰＰＤＵ２４０１は、非レガシーヘッダフィールド２４０７、データフィールド２４１０、レガシーＳＴＦ２４０４、レガシーＣＥＦ２４０５、レガシーヘッダフィールド２４０６、非レガシーＳＴＦ２４０８、非レガシーＣＥＦ２４０９を含む。
【０１５４】
なお、非レガシーＳＴＦ２４０８および非レガシーＣＥＦ２４０９は、データフィールド２４１０、２４１２、２４１４がＳＩＳＯを使って送信される場合には、レガシーＳＴＦ２４０４で調整したＡＧＣレベル、レガシーＣＥＦ２４０５で得たチャネル推定結果をデータフィールド２４１０、２４１２、２４１４に使うことができるため省略してもよい。
【０１５５】
ＭＦ  ＯＦＤＭ  Ａ−ＰＰＤＵ２４００の最後尾に配置されたＭＦ  ＯＦＤＭ  ＰＰＤＵ２４０３は、非レガシーヘッダフィールド２４１３、データフィールド２４１４、任意のＡＧＣサブフィールド２４１５、任意のＴＲＮ−Ｒ／Ｔサブフィールド２４１６を含む。
【０１５６】
ＭＦ  ＯＦＤＭ  Ａ−ＰＰＤＵ２４００のレガシーＳＴＦ２４０４、レガシーＣＥＦ２４０５、レガシーヘッダフィールド２４０６、非レガシーＳＴＦ２４０８、ＡＧＣサブフィールド２４１５、およびＴＲＮ−Ｔ／Ｒサブフィールド２４１６の定義は、図１８のＭＦ  ＯＦＤＭ  ＰＰＤＵ１８００の対応するフィールドの定義と同じであるため、説明を省略する。
【０１５７】
図１８のＭＦ  ＯＦＤＭ  Ａ−ＰＰＤＵ１８００と図２４のＭＦ  ＯＦＤＭ  Ａ−ＰＰＤＵ２４００との差異を以下に記載する。
【０１５８】
図２４では、先頭に配置されたＭＦ  ＯＦＤＭ  ＰＰＤＵ２４０１の非レガシーヘッダフィールド２４０７はＳＣ変調で送信されるが、２番目位以降に配置されたＭＦ  ＯＦＤＭ  ＰＰＤＵ２４０２、２４０３の非レガシーヘッダフィールド２４１１、２４１３がＯＦＤＭ変調で送信される。
【０１５９】
従って、非レガシーヘッダフィールド２４０７の最終ＳＣブロック２４１７の後尾にはＧＩ２４２０ａが付加されるが、非レガシーヘッダフィールド２４１１、２４１３の最終ＯＦＤＭシンボル２４１８、２４１９の後尾にはＧＩ２４２０ａが付加することを省略できる。
【０１６０】
また、データフィールド２４１０と非レガシーヘッダフィールド２４１１の境界、非レガシーヘッダフィールド２４１１とデータフィールド２４１２、データフィールド２４１２と非レガシーヘッダフィールド２４１３、および非レガシーヘッダフィールド２４１３とデータフィールド２４１４の境界でサンプリングレート変換処理を省略できる。
【０１６１】
図２５は、本開示の実施の形態２における標準チャネル帯域幅の２倍の可変チャネル帯域幅で送信されるＭＦ  ＯＦＤＭ  Ａ−ＰＰＤＵ２５００のフォーマットの一例を示す図である。
【０１６２】
ＭＦ  ＯＦＤＭ  Ａ−ＰＰＤＵ２５００は、３つのＭＦ  ＯＦＤＭ  ＰＰＤＵ２５０１、２５０２、２５０３で構成されている。各ＭＦ  ＯＦＤＭ  ＰＰＤＵは、間にＩＦＳやプリアンブルを設けずに連結され、非レガシーヘッダフィールドおよびデータフィールドを含む。
【０１６３】
例えば、ＭＦ  ＯＦＤＭ  Ａ−ＰＰＤＵ２５００の先頭に配置されたＭＦ  ＯＦＤＭ  ＰＰＤＵ２５０１は、非レガシーヘッダフィールド２５０７、データフィールド２５１０、レガシーＳＴＦ２５０４、レガシーＣＥＦ２５０５、レガシーヘッダフィールド２５０６、非レガシーＳＴＦ２５０８、非レガシーＣＥＦ２５０９を含む。
【０１６４】
ＭＦ  ＯＦＤＭ  Ａ−ＰＰＤＵ２５００の最後尾に配置されたＭＦ  ＯＦＤＭ  ＰＰＤＵ２５０３は、非レガシーヘッダフィールド２５１３、データフィールド２５１４、任意のＡＧＣサブフィールド２５１５、任意のＴＲＮ−Ｒ／Ｔサブフィールド２５１６を含む。
【０１６５】
レガシーＳＴＦ２５０４、レガシーＣＥＦ２５０５、レガシーヘッダフィールド２５０６、非レガシーＳＴＦ２５０８、非レガシーＣＥＦ２５０９、データフィールド２５１０、２５１２、２５１４、ＡＧＣサブフィールド２５１５、およびＴＲＮ−Ｔ／Ｒサブフィールド２５１６の定義は、図１９のＭＦ  ＯＦＤＭ  ＰＰＤＵ１９００の対応するフィールドの定義と同じであるため、説明を省略する。
【０１６６】
図１９のＭＦ  ＯＦＤＭ  Ａ−ＰＰＤＵ１９００と図２５のＭＦ  ＯＦＤＭ  Ａ−ＰＰＤＵ２５００との差異を以下に記載する。
【０１６７】
図２５では、先頭に配置されたＭＦ  ＯＦＤＭ  ＰＰＤＵ２５０１の非レガシーヘッダフィールド２５０７は標準チャネル帯域幅を使ってＳＣ変調で送信され、２番目以降に配置されたＭＦ  ＯＦＤＭ  ＰＰＤＵ２５０２、２５０３の非レガシーヘッダフィールド２５１１、２５１３は、標準チャネル帯域幅Ｂの２倍の帯域である可変チャネル帯域幅２Ｂを使ってＯＦＤＭ変調で送信される。
【０１６８】
つまり、図２５に示すように、非レガシーヘッダフィールド２５０７は、複製され、それぞれ標準チャネル帯域幅Ｂの半分の帯域である周波数オフセットＢ／２（＝１．０８ＧＨｚ）が与えられて標準チャネル帯域幅Ｂ（＝２．１６ＧＨｚ）を用いてＳＣ変調で送信されるが、非レガシーヘッダフィールド２５１１、２５１３は、標準チャネル帯域幅Ｂの２倍の帯域である可変チャネル帯域幅２Ｂ（＝４．３２ＧＨｚ）を用いてＯＦＤＭ変調で送信される。
【０１６９】
従って、非レガシーヘッダフィールド２５０７の最終ＳＣブロック２５１７の後尾にはＧＩ２５２０ａが付加され、非レガシーヘッダフィールド２５１１、２５１３の最終ＯＦＤＭシンボル２５１８、２５１９の後尾にはＧＩ２５２０ａの付加を省略することができる。
【０１７０】
また、データフィールド２５１０と非レガシーヘッダフィールド２５１１の境界、非レガシーヘッダフィールド２５１１とデータフィールド２５１２、データフィールド２５１２と非レガシーヘッダフィールド２５１３、および非レガシーヘッダフィールド２５１３とデータフィールド２５１４の境界でサンプリングレート変換処理を省略することがきる。
【０１７１】
図２６は、本開示の実施の形態２における非レガシーヘッダフィールド２７１１、２７１３におけるサブキャリアマッピングの一例を示す図である。図２６において、標準チャネル帯域幅Ｂ、標準チャネル帯域幅Ｂを用いるときのデータサブキャリア数ＮＳＮＬＨ（＝非レガシーヘッダのシンボル数）、標準チャネル帯域幅と可変チャネル帯域幅の比率（＝可変チャネル帯域幅／標準チャネル帯域幅）ＲＣＢを示す。
【０１７２】
簡単のため図２６ではデータサブキャリアについて示しているが、実際のＭＦ  ＯＦＤＭ  ＰＰＤＵにおいては、帯域内にＤＣサブキャリア、パイロットサブキャリア、ガードバンドも存在する。
【０１７３】
図２６では、ＭＦ  ＯＦＤＭ  ＰＰＤＵは、ＲＣＢに比例してデータサブキャリア数が増加するため、データサブキャリアにマッピングする非レガシーヘッダのシンボル数もＲＣＢに比例して増加する。しかし、データフィールドと異なり非レガシーヘッダのビット数は固定であるため、ＲＣＢに比例して非レガシーヘッダのシンボル数を増やすことは困難であるため、非レガシーヘッダをＲＣＢ個複製し、ＲＣＢ×ＮＳＮＬＨ本のデータサブキャリアにマッピングする。
【０１７４】
図２７は、本開示の実施の形態２におけるＭＦ  ＯＦＤＭ  Ａ−ＰＰＤＵの送信装置２７００の構成の一例を示す図である。送信装置２７００は、ベースバンド信号処理部２７０１、ＤＡＣ２７０２、ＲＦフロントエンド２７０３、およびアンテナ２７０４を備える。ベースバンド信号処理部２７０１は、更に、スクランブラ２７０５、ＬＤＰＣ符号器２７０６、変調部２７０７、複製部２７０８、サブキャリアマッピング部２７０９、ＩＦＦＴ部２７１０、ＧＩ挿入部２７１１を備える。
【０１７５】
複製部２７０８、サブキャリアマッピング部２７０９、ＩＦＦＴ部２７１０、ＧＩ挿入部２７１１を除いて、送信装置２７００は送信装置７００と同じ構成であるため説明を省略する。
【０１７６】
複製部２７０８は、非レガシーヘッダをＲＣＢ個複製する。
【０１７７】
サブキャリアマッピング部２７０９は、非レガシーヘッダフィールド２５１１、２５１３に対してはＲＣＢ×ＮＳＮLH個単位で非レガシーヘッダ２５２１をデータサブキャリアにマッピングし、データフィールド２５１０、２５１２、２５１４に対してはＲＣＢ×ＮＤ個単位でペイロードデータ２５２２をデータサブキャリアにマッピングする。
【０１７８】
ＩＦＦＴ部２７１０は、周波数領域でサブキャリアマッピングされた非レガシーヘッダ２５２１あるいはペイロードデータ２５２２をＲＣＢ×５１２ポイントＩＦＦＴ処理により時間領域信号へと変換する。
【０１７９】
ＧＩ挿入部２０１０は、ＩＦＦＴ部２７１０の出力信号の後端のＲＣＢ×ＮＧＩサンプルをコピーして（ＧＩ２５２３）、ＩＦＦＴ出力信号の先頭につなぎ合わせてＯＦＤＭシンボルを生成する。
【０１８０】
なお、変調部２７０７と複製部２７０８は、順番を入れ替えてもよい。
【０１８１】
本実施の形態２によれば、先頭に配置されたＭＦ  ＯＦＤＭ  ＰＰＤＵを除き、非レガシーヘッダフィールドがデータフィールドと同じチャネル帯域幅を使ってＯＦＤＭ変調で送信されるので、非レガシーヘッダ２５２１の後尾へのＧＩ２５２３の付加を省略でき、前述の非レガシーヘッダフィールドとデータフィールドの境界でレート変換処理が不要になり消費電力を減らすことができる。
【０１８２】
（実施の形態３）
ＮＧ６０  ＷｉＧｉｇでは、図１０に示す非レガシーヘッダのＧＩ  Ｌｅｎｇｔｈフィールドの設定を変更することで、ＭＦ  ＳＣ  ＰＰＤＵのデータフィールドのＳＣブロックのＧＩ期間、あるいはＭＦ  ＯＦＤＭ  ＰＰＤＵのデータフィールドのＯＦＤＭシンボルのＧＩ期間をショート、ノーマル、ロングと変更することができる。
【０１８３】
本開示の実施の形態３では、実施の形態１における図２０のＭＦ  ＳＣ  Ａ−ＰＰＤＵ２０００において、ＧＩ期間を変更する場合の非レガシーヘッダフィールドのＳＣブロックの生成方法について説明する。
【０１８４】
本実施の形態において、ＭＦ  ＳＣ  Ａ−ＰＰＤＵ２０００においてＧＩ期間を変更するときは、先頭に配置されたＭＦ  ＳＣ  Ａ−ＰＰＤＵ２００１の非レガシーヘッダフィールド２００７のＧＩ  Ｌｅｎｇｔｈを所望の値に設定する。
【０１８５】
従来のＭＦ  ＳＣ  ＰＰＤＵでは、ＧＩ  Ｌｅｎｇｔｈの変更はデータフィールドに適用されるが、本開示の実施の形態３では、ＭＦ  ＳＣ  Ａ−ＰＰＤＵ２０００の先頭に配置されたＭＦ  ＳＣ  ＰＰＤＵ２００１のデータフィールド２０１０以降の全てのフィールドにも適用される。すなわち、前記ＧＩ期間の変更は、２番目以降に配置されたＭＦ  ＳＣ  ＰＰＤＵ（２００２、２００３）の非レガシーヘッダフィールド（２０１１、２０１３）にも適用される。
【０１８６】
このため、２番目以降のＭＦ  ＳＣ  ＰＰＤＵ２００２、２００３の非レガシーヘッダフィールド２０１１、２０１３のＧＩ  Ｌｅｎｇｔｈフィールドは、先頭に配置されたＭＦ  ＳＣ  ＰＰＤＵ２００１の非レガシーヘッダフィールド２００７のＧＩ  Ｌｅｎｇｔｈフィールドと同じ値に設定変更される。
【０１８７】
なお、先頭に配置されたＭＦ  ＳＣ  ＰＰＤＵ２００１の非レガシーヘッダフィールド２００７のＧＩ期間は、ＧＩ  Ｌｅｎｇｔｈフィールドの設定に関係なくノーマルであり、変更されない。
【０１８８】
以下、ＧＩ期間をショートＧＩに変更した場合の２番目以降に配置されたＭＦ  ＳＣ  ＰＰＤＵの非レガシーヘッダフィールドのＳＣブロックの生成方法について図２８を参照しながら説明する。ここでは一例として非レガシーヘッダのサイズを６４ビットとし、ＲＣＢ＝２の可変チャネル帯域幅で送信する場合について説明する。また、ショートＧＩはノーマルＧＩよりもＮＳシンボル少ないシンボル数である。
【０１８９】
（ステップＳ２８０１）
６４ビットの非レガシーヘッダはスクランブルされ、６４ビットのスクランブラ出力信号を得る。
【０１９０】
（ステップＳ２８０２）
６４ビットのスクランブラ出力信号の後尾に４４０（＝５０４−６４）ビットの０が付加され、符号化率３／４のＬＤＰＣ符号化により符号長６７２ビットのＬＤＰＣコードワードが得られる。
【０１９１】
（ステップＳ２８０３）
ＬＤＰＣコードワードからビット６５〜５０４−ＮＳ／ＲＣＢの４４０−ＮＳ／ＲＣＢビットとビット６６５〜６７２の８ビットが削除され、２２４＋ＮＳ／ＲＣＢビットの第一のビット系列を得る。
【０１９２】
（ステップＳ２８０４）
ＬＤＰＣコードワードからビット６５〜５０４−ＮＳ／ＲＣＢの４４０−ＮＳ／ＲＣＢビットとビット６５７〜６６４の８ビットが削除され、２２４＋ＮＳ／ＲＣＢビットの予備ビット系列が得られる。更に、ステップＳ２８０１で使用したスクランブラのシフトレジスタを全１に初期化して得られるＰＮ（Ｐｓｅｕｄｏ  ｒａｎｄｏｍ  Ｎｏｉｓｅ（疑似ランダム雑音））系列と予備ビット系列をＸＯＲ演算し、２２４＋ＮＳ／ＲＣＢビットの第二のビット系列を得る。
【０１９３】
（ステップＳ２８０５）
第一のビット列と第二のビット列を連結し、４４８＋ＮＳビットの第三のビット列を得る。
【０１９４】
（ステップＳ２８０６）
第三のビット列がＲＣＢ個連結されＲＣＢ×（４４８＋ＮＳ）ビットの第四のビット列を得る。
【０１９５】
（ステップＳ２８０７）
第四のビット列をπ／２−ＢＰＳＫ変調しＲＣＢ×（４４８＋ＮＳ）シンボルのシンボルブロックを得る。
【０１９６】
（ステップＳ２８０８）
ＲＣＢ×（ＮＧＩ−ＮＳ）シンボルのＧＩをシンボルブロックの先頭に付加してＲＣＢ×（ＮＧＩ＋４４８）シンボルのＳＣブロックを得る。
【０１９７】
なお、ステップＳ２８０７とステップＳ２８０８の順番を入れ替えることができる。
【０１９８】
なお、ＧＩ期間をロングＧＩに変更する場合は、ロングＧＩがノーマルＧＩよりもＮＬシンボル多いとして、上記ステップＳ２８０１からステップＳ２８０８においてＮＳを−ＮＬに読み替える。
【０１９９】
本開示の実施の形態３によれば、非レガシーヘッダのＧＩ  Ｌｅｎｇｔｈフィールドの設定に応じてＳＣブロック内のＧＩ期間と非レガシーヘッダ期間を変更できるので、伝送路状況に柔軟に対応できるようになる。
【０２００】
本開示に係る実施形態の種々の態様として、以下のものが含まれる。
【０２０１】
第１の開示に係る送信装置は、レガシーＳＴＦと、レガシーＣＥＦと、レガシーヘッダフィールドと、非レガシーＳＴＦと非レガシーＣＥＦと、１つ以上の非レガシーヘッダを含む１つ以上の非レガシーヘッダフィールドと、１つ以上のペイロードデータを含む１つ以上のデータフィールドとを含む第１物理層収束プロトコルデータユニット（ＰＰＤＵ）のうち、標準チャネル帯域幅で送信される第１のＰＰＤＵである、前記レガシーＳＴＦ、前記レガシーＣＥＦ、前記レガシーヘッダフィールド、及び、先頭に配置された非レガシーヘッダフィールドを、周波数軸方向に、（Ｎ−１）個（Ｎは２以上の整数）、複製する複製部と、前記標準チャネル帯域幅で送信される第１のＰＰＤＵ、前記複製された標準チャネル帯域幅で送信される第１のＰＰＤＵ、前記第１のＰＰＤＵのうち、前記標準チャネル帯域幅のＮ倍の可変チャネル帯域幅で送信される第１のＰＰＤＵである、前記非レガシーＳＴＦ、前記非レガシーＣＥＦ、前記１つ以上のデータフィールド、及び、１つ以上の非レガシーヘッダフィールドと、１つ以上のデータフィールドとを含む第２のＰＰＤＵのうち、前記可変チャネル帯域幅で送信される、前記非レガシーヘッダフィールド、前記１つ以上のデータフィールド、に対して、それぞれ、ガードインターバルを付加し、集約物理層収束プロトコルデータユニット（Ａ−ＰＰＤＵ）を出力するガードインターバル挿入部と、前記Ａ−ＰＰＤＵを送信する無線部と、を含む。
【０２０２】
第２の開示に係る送信装置は、上記第１の開示の送信装置であって、前記無線部が、前記第１のＰＰＤＵ及び前記第２のＰＰＤＵをシングルキャリアによって送信する場合、前記第２のＰＰＤＵの前記１つ以上の非レガシーヘッダフィールドは、１つ以上のシングルキャリアブロックを含み、前記複製部は、前記第２のＰＰＤＵの前記１つ以上の非レガシーヘッダフィールドにおいて、前記シングルキャリアブロック毎に、前記非レガシーヘッダを、（Ｎ−１）個、時間軸方向に複製する。
【０２０３】
第３の開示に係る送信装置は、上記第２の開示の送信装置であって、前記可変チャネル帯域幅で送信される第１のＰＰＤＵの前記１つ以上の非レガシーヘッダフィールドは、１つ以上のシングルキャリアブロックを含み、前記ガードインターバル挿入部は、更に、前記可変チャネル帯域幅で送信される第１のＰＰＤＵの前記１つ以上の非レガシーヘッダフィールドの前記シングルキャリアブロック毎に、ＮＮＬＨシンボル（ＮＮＬＨは１以上の整数）の前記非レガシーヘッダに対して、ＮＧＩシンボル（ＮＧＩは１以上の整数）の前記ガードインターバルを付加し前記第２のＰＰＤＵの非レガシーヘッダフィールドの前記シングルキャリアブロック毎に、ＮＮＬＨ−Ｍシンボル（Ｍは０以上の整数）の前記非レガシーヘッダに対して（ＮＧＩ＋Ｍ）×Ｎシンボルのガードインターバルを付加し、ＮＮＬＨ＋Ｍシンボルの前記非レガシーヘッダに対して（ＮＧＩ−Ｍ）×Ｎシンボルのガードインターバルを付加する。
【０２０４】
第４の開示に係る送信装置は、上記第１の開示の送信装置であって、前記無線部は、前記第２のＰＰＤＵをマルチキャリアによって送信する場合、前記標準チャネル帯域幅で送信される第１のＰＰＤＵの前記１つ以上の非レガシーヘッダフィールドを、シングルキャリアによって送信し、前記可変チャネル帯域幅で送信される第１のＰＰＤＵの前記１つ以上のデータフィールドを、マルチキャリアによって送信する。
【０２０５】
第５の開示に係る送信装置は、上記第４の開示の送信装置であって、前記複製部は、前記第２のＰＰＤＵの前記１つ以上の非レガシーヘッダフィールドのそれぞれにおいて、ＮＳＮLHシンボルの前記非レガシーヘッダをＮ−１個複製し、前記無線部は、Ｎ×ＮＳＮLH本のデータサブキャリアにマッピングされた前記非レガシーヘッダ及び前記Ｎ−１個の複製した非レガシーヘッダを送信する。
【０２０６】
第６の開示に係る送信方法は、レガシーＳＴＦと、レガシーＣＥＦと、レガシーヘッダフィールドと、非レガシーＳＴＦと非レガシーＣＥＦと、１つ以上の非レガシーヘッダを含む１つ以上の非レガシーヘッダフィールドと、１つ以上のペイロードデータを含む１つ以上のデータフィールドとを含む第１物理層収束プロトコルデータユニット（ＰＰＤＵ）のうち、標準チャネル帯域幅で送信される第１のＰＰＤＵである、前記レガシーＳＴＦ、前記レガシーＣＥＦ、前記レガシーヘッダフィールド、及び、先頭に配置された非レガシーヘッダフィールドを、周波数軸方向に、（Ｎ−１）個（Ｎは２以上の整数）、複製し、標準チャネル帯域幅で送信される第１のＰＰＤＵ、前記複製された標準チャネル帯域幅で送信される第１のＰＰＤＵ、前記第１のＰＰＤＵのうち、前記標準チャネル帯域幅のＮ倍の可変チャネル帯域幅で送信される第１のＰＰＤＵである、前記非レガシーＳＴＦ、前記非レガシーＣＥＦ、前記１つ以上のデータフィールド、及び、１つ以上の非レガシーヘッダフィールドと、１つ以上のデータフィールドとを含む第２のＰＰＤＵのうち、前記可変チャネル帯域幅で送信される、前記非レガシーヘッダフィールド、前記１つ以上のデータフィールド、に対して、それぞれ、ガードインターバルを付加し、集約物理層収束プロトコルデータユニット（Ａ−ＰＰＤＵ）を出力し、前記Ａ−ＰＰＤＵを送信する。
【０２０７】
第７の開示に係る送信方法は、上記第６の開示の送信方法であって、前記第１のＰＰＤＵ及び前記第２のＰＰＤＵをシングルキャリアによって送信する場合、前記第２のＰＰＤＵの前記１つ以上の非レガシーヘッダフィールドは、１つ以上のシングルキャリアブロックを含み、更に、前記第２のＰＰＤＵの前記１つ以上の非レガシーヘッダフィールドにおいて前記シングルキャリアブロック毎に、前記非レガシーヘッダを、（Ｎ−１）個、時間軸方向に複製する。
【０２０８】
第８の開示に係る送信方法は、上記第７の開示の送信方法であって、前記可変チャネル帯域幅で送信される第１のＰＰＤＵの前記１つ以上の非レガシーヘッダフィールドは、１つ以上のシングルキャリアブロックを含み、更に、前記可変チャネル帯域幅で送信される第１のＰＰＤＵの前記１つ以上の非レガシーヘッダフィールドの前記シングルキャリアブロック毎に、ＮＮＬＨシンボル（ＮＮＬＨは１以上の整数）の前記非レガシーヘッダに対して、ＮＧＩシンボル（ＮＧＩは１以上の整数）の前記ガードインターバルを付加し、前記第２のＰＰＤＵの非レガシーヘッダフィールドの前記シングルキャリアブロック毎に、ＮＮＬＨ−Ｍシンボル（Ｍは０以上の整数）の前記非レガシーヘッダに対して（ＮＧＩ＋Ｍ）×Ｎシンボルのガードインターバルを付加し、ＮＮＬＨ＋Ｍシンボルの前記非レガシーヘッダに対して（ＮＧＩ−Ｍ）×Ｎシンボルのガードインターバルを付加する。
【０２０９】
第９の開示に係る送信方法は、上記第６の開示の送信方法であって、前記第２のＰＰＤＵをマルチキャリアによって送信する場合、前記標準チャネル帯域幅で送信される第１のＰＰＤＵの前記１つ以上の非レガシーヘッダフィールドを、シングルキャリアによって送信し、前記可変チャネル帯域幅で送信される第１のＰＰＤＵの前記１つ以上のデータフィールドを、マルチキャリアによって送信する。
【０２１０】
第１０の開示に係る送信方法は、上記第９の開示の送信方法であって、前記第２のＰＰＤＵの前記１つ以上の非レガシーヘッダフィールドのそれぞれにおいて、ＮＳＮLHシンボルの前記非レガシーヘッダをＮ−１個複製し、Ｎ×ＮＳＮLH本のデータサブキャリアにマッピングされた前記非レガシーヘッダ及び前記Ｎ−１個の複製した非レガシーヘッダを送信する。
【０２１１】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【０２１２】
上記各実施形態では、本開示はハードウェアを用いて構成する例にとって説明したが、本開示はハードウェアとの連携においてソフトウェアでも実現することも可能である。
【０２１３】
また、上記各実施形態の説明に用いた各機能ブロックは、典型的には、入力端子および出力端子を有する集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２１４】
また、集積回路化の手法はＬＳＩに限るものではなく、専用回路または汎用プロセッサを用いて実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、ＬＳＩ内部の回路セルの接続又は設定を再構成可能なリコンフィギュラブル  プロセッサ（Ｒｅｃｏｎｆｉｇｕｒａｂｌｅ  Ｐｒｏｃｅｓｓｏｒ）を利用してもよい。
【０２１５】
さらには、半導体技術の進歩又は派生する別技術により,ＬＳＩに置き換わる集積回路化の技術が登場すれば、当然、その技術を用いて機能ブロックを集積化してもよい。バイオ技術の適用等が可能性としてありえる。
【産業上の利用可能性】
【０２１６】
本開示は、動画像（ビデオ）、静止画像（ピクチャ）、テキストデータ、音声データ、制御データを送受信ンするセルラー、スマートフォン、タブレット端末、テレビ端末である無線通信システムにおいて、集約ＰＰＤＵ（物理層収束プロトコルデータユニット）を構成し送信する方法に適用することができる。
【符号の説明】
【０２１７】
３００  ＬＦ  ＳＣ  ＰＰＤＵ送信装置
３０１，７０１，２２０１，２７０１  ベースバンド信号処理部
３０２，７０２，２２０２，２７０２  ＤＡＣ
３０３，７０３，２２０３，２７０３  ＲＦフロントエンド
３０４，７０４，２２０４，２７０４  アンテナ
３０５，７０５，２２０５，２７０５  スクランブラ
３０６，７０６，２２０６，２７０６  ＬＤＰＣ符号器
３０７，７０７，２２０７，２７０７  変調器
３０８，２２０９  シンボルブロッキング部
３０９，７１０，２２１０，２７１１  ＧＩ挿入部
７００  ＬＦ  ＯＦＤＭ  ＰＰＤＵ送信装置
７０８，２７０９  サブキャリアマッピング部
７０９，２７１０  ＩＦＦＴ部
２２００  ＭＦ  ＳＣ  Ａ−ＰＰＤＵ送信装置
２２０８，２７０８  複製部
２７００  ＭＦ  ＯＦＤＭ  Ａ−ＰＰＤＵ送信装置
【図１】
2018043368.tif 000003
【図２】
2018043368.tif 000004
【図３】
2018043368.tif 000005
【図４】
2018043368.tif 000006
【図５】
2018043368.tif 000007
【図６】
2018043368.tif 000008
【図７】
2018043368.tif 000009
【図８】
2018043368.tif 000010
【図９】
2018043368.tif 000011
【図１０】
2018043368.tif 000012
【図１１】
2018043368.tif 000013
【図１２】
2018043368.tif 000014
【図１３】
2018043368.tif 000015
【図１４】
2018043368.tif 000016
【図１５】
2018043368.tif 000017
【図１６】
2018043368.tif 000018
【図１７】
2018043368.tif 000019
【図１８】
2018043368.tif 000020
【図１９】
2018043368.tif 000021
【図２０】
2018043368.tif 000022
【図２１】
2018043368.tif 000023
【図２２】
2018043368.tif 000024
【図２３】
2018043368.tif 000025
【図２４】
2018043368.tif 000026
【図２５】
2018043368.tif 000027
【図２６】
2018043368.tif 000028
【図２７】
2018043368.tif 000029
【図２８】
2018043368.tif 000030
【国際調査報告】
2018043368.tif 000031
2018043368.tif 000032
2018043368.tif 000033
2018043368.tif 000034